(57)【特許請求の範囲】
【請求項１】
通信の方法であって、
第２のアクセスポイントにおいて第１のアクセスポイントからの信号の品質を決定することと、ここにおいて、前記第２のアクセスポイントは、アクセス端末にサービス提供しており、前記第１のアクセスポイントはマクロセルの一部であり、前記第２のアクセスポイントはフェムトセルの一部である、
前記決定された信号品質に基づいてハンドオーバパラメータを決定することと、
前記第２のアクセスポイントから前記決定されたハンドオーバパラメータを送信することと、
を備え、
前記ハンドオーバパラメータの決定は、
前記第２のアクセスポイントが前記第１のアクセスポイントの近くに存在することを前記決定された信号品質が示す場合、前記ハンドオーバパラメータを第１の値に設定することと、
前記第２のアクセスポイントが前記第１のアクセスポイントのセルエッジの近くに存在することを前記決定された信号品質が示す場合、前記ハンドオーバパラメータを第２の値に設定することと
を備え、前記第１の値は、前記アクセス端末が前記第１のアクセスポイントに早期ハンドオーバされる可能性の減少させるように定義され、前記第２の値は、前記アクセス端末が前記第１のアクセスポイントにハンドオーバされるのではなく、前記第２のアクセスポイントに留まることによる機能停止を、前記アクセス端末が経験する可能性を減少させるように定義される、方法。
【請求項２】
前記第２のアクセスポイントが前記第１のアクセスポイントの近くに存在することを前記決定された信号品質が示す場合、前記ハンドオーバパラメータの決定は、
前記第２のアクセスポイントによってサービス提供されるアクセス端末が前記第１のアクセスポイントにハンドオーバされるであろう可能性を減らすように、許容ハンドオーバパラメータ値のセットのうちの１つの値を選択することと、
前記ハンドオーバパラメータを前記選択された値に設定することと
を備える、請求項１に記載の方法。
【請求項３】
前記第２のアクセスポイントが前記第１のアクセスポイントのセルエッジの近くに存在することを前記決定された信号品質が示す場合、前記ハンドオーバパラメータの決定は、
前記第２のアクセスポイントによってサービス提供されるアクセス端末が前記第１のアクセスポイントにハンドオーバされるであろう可能性を高めように、許容ハンドオーバパラメータ値のセットのうちの１つの値を選択することと、
前記ハンドオーバパラメータを前記選択された値に設定することと
を備える、請求項１に記載の方法。
【請求項４】
前記第２のアクセスポイントからの信号の品質を決定することをさらに備え、前記ハンドオーバパラメータの決定は、前記第２のアクセスポイントからの信号の前記決定された信号品質にさらに基づく、請求項１に記載の方法。
【請求項５】
前記ハンドオーバパラメータは、ヒステリシスパラメータを備える、請求項１に記載の方法。
【請求項６】
前記ハンドオーバパラメータの決定は、前記ヒステリシスパラメータを前記決定された信号品質の関数として計算することを備える、請求項５に記載の方法。
【請求項７】
前記ハンドオーバパラメータの決定は、
前記決定された信号品質を閾値と比較することと、
前記決定された信号品質が前記閾値以上である場合に、前記ヒステリシスパラメータを、セルサイトに対して特定された値に設定することと
を備える、請求項５に記載の方法。
【請求項８】
前記ハンドオーバパラメータの決定は、
前記決定された信号品質を閾値と比較することと、
前記決定された信号品質が前記閾値以下である場合に、前記ヒステリシスパラメータを、セルエッジに対して特定された値に設定することと
を備える、請求項５に記載の方法。
【請求項９】
前記ハンドオーバパラメータは、セル個別オフセットパラメータ、または、タイム・ツー・トリガパラメータを備える、請求項１に記載の方法。
【請求項１０】
前記信号品質の決定は、前記第２のアクセスポイントにおいて前記信号のＥｃｐ／Ｉ０を決定することを備える、請求項１に記載の方法。
【請求項１１】
前記信号品質の決定は、前記第２のアクセスポイントにおいて前記信号の受信信号コード電力を決定することを備える、請求項１に記載の方法。
【請求項１２】
前記信号品質の決定は、前記第１のアクセスポイントから前記第２のアクセスポイントへの経路損失を推定することを備える、請求項１に記載の方法。
【請求項１３】
前記信号品質の決定は、
前記第１のアクセスポイントから前記信号を受信することと、
前記受信信号に基づいて信号品質パラメータを決定することと
を備える、請求項１に記載の方法。
【請求項１４】
前記信号品質の決定は、前記信号品質のインジケーションを受信することを備える、請求項１に記載の方法。
【請求項１５】
通信のための装置であって、
前記装置において第１のアクセスポイントからの信号の品質を、前記装置によって決定するように動作可能であり、さらに、前記決定された信号品質に基づいてハンドオーバパラメータを、前記装置によって決定するように動作可能なコントローラと、ここにおいて、前記装置は、アクセス端末にサービス提供する第２のアクセスポイントであり、前記第１のアクセスポイントはマクロセルの一部であり、前記第２のアクセスポイントはフェムトセルの一部である、
前記装置から前記決定されたハンドオーバパラメータを送信するように動作可能な送信機と
を備え、
前記ハンドオーバパラメータの決定は、
前記第２のアクセスポイントが前記第１のアクセスポイントの近くに存在することを前記決定された信号品質が示す場合に、前記ハンドオーバパラメータを第１の値に設定することと、
前記第２のアクセスポイントが前記第１のアクセスポイントのセルエッジの近くに存在することを前記決定された信号品質が示す場合に、前記ハンドオーバパラメータを第２の値に設定することと
を備え、前記第１の値は、前記アクセス端末が前記第１のアクセスポイントに早期ハンドオーバされる可能性を減少させるように定義され、前記第２の値は、前記アクセス端末が前記第１のアクセスポイントにハンドオーバされるのではなく前記第２のアクセスポイントに留まることによる機能停止を、前記アクセス端末が経験する可能性を減少させるように定義される、装置。
【請求項１６】
前記コントローラは、さらに、前記第２のアクセスポイントからの信号の品質を決定するように動作可能であり、
前記ハンドオーバパラメータの決定は、さらに、前記第２のアクセスポイントからの信号の前記決定された信号品質に基づく
請求項１５に記載の装置。
【請求項１７】
前記ハンドオーバパラメータは、ヒステリシスパラメータを備える、請求項１５に記載の装置。
【請求項１８】
前記ハンドオーバパラメータは、セル個別オフセットパラメータ、または、タイム・ツー・トリガパラメータを備える、請求項１５に記載の装置。
【請求項１９】
通信のための装置であって、
前記装置において第１のアクセスポイントからの信号の品質を決定するための手段と、ここにおいて、前記装置は、アクセス端末にサービス提供する第２のアクセスポイントである、
前記決定された信号品質に基づいてハンドオーバパラメータを、前記第２のアクセスポイントにおいて、決定するための手段と、
前記第２のアクセスポイントから前記決定されたハンドオーバパラメータを送信するための手段と
を備え、
前記ハンドオーバパラメータの決定は、
前記第２のアクセスポイントが前記第１のアクセスポイントの近くに存在することを前記決定された信号品質が示す場合に、前記ハンドオーバパラメータを第１の値に設定すること、なお、前記第１のアクセスポイントはマクロセルの一部であり、前記第２のアクセスポイントはフェムトセルの一部である、または
前記第２のアクセスポイントが前記第１のアクセスポイントのセルエッジの近くに存在すること前記決定された信号品質が示す場合に、前記ハンドオーバパラメータを第２の値に設定すること
を備え、前記第１の値は、前記第２のアクセスポイントによってサービス提供されるアクセス端末が前記第１のアクセスポイントに早期ハンドオーバされる可能性を減少させるように定義され、前記第２の値は、前記第２のアクセスポイントによってサービス提供されるアクセス端末が、前記アクセス端末が前記第１のアクセスポイントにハンドオーバされるのではなく前記第２のアクセスポイントに留まることによる機能停止を経験する可能性を減少させるように定義される、装置。
【請求項２０】
前記第２のアクセスポイントからの信号の品質を決定するための手段をさらに備え、前記ハンドオーバパラメータの決定は、さらに、前記第２のアクセスポイントからの信号の前記決定された信号品質に基づく、請求項１９に記載の装置。
【請求項２１】
前記ハンドオーバパラメータは、ヒステリシスパラメータを備える、請求項１９に記載の装置。
【請求項２２】
前記ハンドオーバパラメータは、セル個別オフセットパラメータ、または、タイム・ツー・トリガパラメータを備える、請求項１９に記載の装置。
【請求項２３】
コンピュータ可読記録媒体であって、コンピュータに対して、
第２のアクセスポイントにおいて第１のアクセスポイントからの信号の品質を決定させ、なお前記第２のアクセスポイントはアクセス端末にサービス提供する、
前記第２のアクセスポイントにおいて前記決定された信号品質に基づいてハンドオーバパラメータを決定させ、
前記第２のアクセスポイントから前記決定されたハンドオーバパラメータを送信させる
ためのコードを備え、
前記ハンドオーバパラメータの決定は、
前記第２のアクセスポイントが前記第１のアクセスポイントの近くに存在することを前記決定された信号品質が示す場合に、前記ハンドオーバパラメータを第１の値に設定することと、ここにおいて、前記第１のアクセスポイントはマクロセルの一部であり、前記第２のアクセスポイントはフェムトセルの一部である、
前記第２のアクセスポイントが前記第１のアクセスポイントのセルエッジの近くに存在することを前記決定された信号品質が示す場合に、前記ハンドオーバパラメータを第２の値に設定することと
を備え、前記第１の値は、前記第２のアクセスポイントによってサービス提供されるアクセス端末が前記第１のアクセスポイントに早期ハンドオーバされる可能性を減少させるように定義され、前記第２の値は、前記第２のアクセスポイントによってサービス提供されるアクセス端末が、前記アクセス端末が前記第１のアクセスポイントにハンドオーバされるのではなく前記第２のアクセスポイントに留まるによる機能停止を経験する可能性を減少させるように定義される、コンピュータ可読記録媒体。
【請求項２４】
前記コンピュータに対して、前記第２のアクセスポイントからの信号の品質を決定させるためのコードをさらに備え、
前記ハンドオーバパラメータの決定は、さらに、前記第２のアクセスポイントからの信号の前記決定された信号品質に基づく、
請求項２３に記載のコンピュータ可読記録媒体。
【請求項２５】
前記ハンドオーバパラメータは、ヒステリシスパラメータを備える、請求項２３に記載のコンピュータ可読記録媒体。
【請求項２６】
前記ハンドオーバパラメータは、セル個別オフセッパラメータ、または、タイム・ツー・トリガパラメータを備える、請求項２３に記載のコンピュータ可読記録媒体。
【請求項２７】
通信の方法であって、
第１のアクセスポイントと第２のアクセスポイントとの近接度を決定することと、ここにおいて、前記第１のアクセスポイントは、アクセス端末にサービス提供しており、前記第１のアクセスポイントはマクロセルの一部であり、前記第２のアクセスポイントはフェムトセルの一部である、
前記決定された近接度に基づいてハンドオーバパラメータを決定することと、
前記第１のアクセスポイントから前記決定されたハンドオーバパラメータを送信することと
を備え、
前記ハンドオーバパラメータの決定は、
前記第１のアクセスポイントが前記第２のアクセスポイントの近くに存在することを前記決定された近接度が示す場合、前記ハンドオーバパラメータを第１の値に設定することと、
前記第１のアクセスポイントが前記第２のアクセスポイントのセルエッジの近くに存在することを前記決定された近接度が示す場合、前記ハンドオーバパラメータを第２の値に設定することと
を備え、前記第１の値は、前記アクセス端末が前記第２のアクセスポイントに早期ハンドオーバされる可能性を減少させるように定義され、前記第２の値は、前記アクセス端末が前記第２のアクセスポイントにハンドオーバされるのではなく前記第１のアクセスポイントに留まることによる機能停止を、前記アクセス端末が経験する可能性を減少させるように定義される、方法。
【請求項２８】
前記第１のアクセスポイントが前記第２のアクセスポイントの近くに存在することを前記決定された近接度が示す場合、前記ハンドオーバパラメータの決定は、
前記第１のアクセスポイントによってサービス提供されるアクセス端末が前記第２のアクセスポイントにハンドオーバされるであろう可能性を減らす許容ハンドオーバパラメータ値のセットのうちの１つの値を選択することと、
前記ハンドオーバパラメータを前記選択された値に設定することと
を備える、請求項２７に記載の方法。
【請求項２９】
前記第１のアクセスポイントが前記第２のアクセスポイントのセルエッジの近くに存在することを前記決定された近接度が示す場合、前記ハンドオーバパラメータの決定は、
前記第１のアクセスポイントによってサービス提供されるアクセス端末が前記第２のアクセスポイントにハンドオーバされるであろう可能性を高める許容ハンドオーバパラメータ値のセットのうちから１つの値を選択することと、
前記ハンドオーバパラメータを前記選択された値に設定することと
を備える、請求項２７に記載の方法。
【請求項３０】
前記ハンドオーバパラメータは、ヒステリシスパラメータを備える、請求項２７に記載の方法。
【請求項３１】
前記ハンドオーバパラメータの決定は、前記第１のアクセスポイントが前記第２のアクセスポイントの近くに存在することを前記決定された近接度が示す場合、セルサイトに対して特定された値に前記ヒステリシスパラメータを設定することを備える、請求項３０に記載の方法。
【請求項３２】
前記ハンドオーバパラメータの決定は、前記第１のアクセスポイントが前記第２のアクセスポイントのセルエッジの近くに存在することを前記決定された近接度が示す場合、セルエッジに対して特定された値に前記ヒステリシスパラメータを設定することを備える、請求項３０に記載の方法。
【請求項３３】
前記ハンドオーバパラメータは、セル個別オフセッパラメータ、または、タイム・ツー・トリガパラメータを備える、請求項２７に記載の方法。
【請求項３４】
前記近接度の決定は、
前記第２のアクセスポイントから信号を受信することと、
前記受信信号の信号パラメータを測定することと、
前記測定された信号パラメータに基づいて前記近接度を決定することと、
を備える、請求項２７に記載の方法。
【請求項３５】
前記近接度の決定は、前記第２のアクセスポイントから前記第１のアクセスポイントへの経路損失を推定することを備える、請求項２７に記載の方法。
【請求項３６】
前記経路損失の推定は、
前記第１のアクセスポイントにおいて前記第２のアクセスポイントからの信号の受信信号コード電力を決定することと、
前記信号を送信するために、前記第２のアクセスポイントによって使用される送信電力を決定することと、
前記決定された受信信号コード電力および前記決定された送信電力に基づいて経路損失値を計算することと
を備える、請求項３５に記載の方法。
【請求項３７】
前記受信信号コード電力は、共通パイロットチャネル受信信号コード電力を備え、
前記送信電力は、共通パイロットチャネル送信電力を備える、
請求項３６に記載の方法。
【請求項３８】
前記近接度の決定は、前記近接度のインジケーションを受信することを備える、請求項２７に記載の方法。
【請求項３９】
通信のための装置であって、
前記装置と第１のアクセスポイントとの近接度を決定するように動作可能であって、さらに、前記決定された近接度に基づいてハンドオーバパラメータを決定するように動作可能なコントローラと、ここにおいて、前記装置は、アクセス端末にサービス提供する第２のアクセスポイントであり、前記第１のアクセスポイントはマクロセルの一部であり、前記第２のアクセスポイントはフェムトセルの一部である、
前記装置から前記決定されたハンドオーバパラメータを送信するように動作可能な送信機と
を備え、
前記ハンドオーバパラメータの決定は、
前記第２のアクセスポイントが前記第１のアクセスポイントの近くに存在することを前記決定された近接度が示す場合、前記ハンドオーバパラメータを第１の値に設定することと、
前記第２のアクセスポイントが前記第１のアクセスポイントのセルエッジの近くに存在することを前記決定された近接度が示す場合、前記ハンドオーバパラメータを第２の値に設定することと
を備え、前記第１の値は、前記アクセス端末が前記第１のアクセスポイントに早期ハンドオーバされる可能性を減少させるように定義され、前記第２の値は、前記アクセス端末が前記第１のアクセスポイントにハンドオーバされるのではなく前記第２のアクセスポイントに留まることによる機能停止を、前記アクセス端末が経験する可能性を減少させるように定義される、装置。
【請求項４０】
前記ハンドオーバパラメータは、ヒステリシスパラメータを備える、請求項３９に記載の装置。
【請求項４１】
前記ハンドオーバパラメータは、セル個別オフセットパラメータ、または、タイム・ツー・トリガパラメータを備える、請求項３９に記載の装置。
【請求項４２】
前記近接度の決定は、前記第２のアクセスポイントから前記第１のアクセスポイントへの経路損失を推定することを備える、請求項３９に記載の装置。
【請求項４３】
通信のための装置であって、
前記装置と第１のアクセスポイントとの近接度を決定するための手段と、ここにおいて、前記装置は、アクセス端末にサービス提供する第２のアクセスポイントである、
前記決定された近接度に基づいてハンドオーバパラメータを決定するための手段と、
前記装置から前記決定されたハンドオーバパラメータを送信するための手段と
を備え、
前記ハンドオーバパラメータの決定は、
前記第２のアクセスポイントが前記第１のアクセスポイントの近くに存在することを前記決定された近接度が示す場合、前記ハンドオーバパラメータを第１の値に設定することと、
前記第２のアクセスポイントが前記第１のアクセスポイントのセルエッジの近くに存在することを前記決定された近接度が示す場合、前記ハンドオーバパラメータを第２の値に設定することと
を備え、前記第１の値は、前記アクセス端末が前記第１のアクセスポイントに早期ハンドオーバされる可能性を減少させるように定義され、前記第２の値は、前記アクセス端末が前記第１のアクセスポイントにハンドオーバされるのではなく前記第２のアクセスポイントに留まることによる機能停止を、前記アクセス端末が経験する可能性を減少させるように定義される、装置。
【請求項４４】
前記ハンドオーバパラメータは、ヒステリシスパラメータを備える、請求項４３に記載の装置。
【請求項４５】
前記ハンドオーバパラメータは、セル個別オフセットパラメータ、または、タイム・ツー・トリガパラメータを備える、請求項４３に記載の装置。
【請求項４６】
前記近接度の決定は、前記第２のアクセスポイントから前記第１のアクセスポイントへの経路損失を推定することを備える、請求項４３に記載の装置。
【請求項４７】
コンピュータ可読記録媒体あって、コンピュータに対して、
第１のアクセスポイントと第２のアクセスポイントとの近接度を決定なお、前記第２のアクセスポイントはアクセス端末にサービス提供する、させ、
前記決定された近接度に基づいてハンドオーバパラメータを決定させ、
前記第１のアクセスポイントから前記決定されたハンドオーバパラメータを送信させる
ためのコードを備え、
前記ハンドオーバパラメータの決定は、
前記第２のアクセスポイントが前記第１のアクセスポイントの近くに存在することを前記決定された近接度が示す場合、前記ハンドオーバパラメータを第１の値に設定することと、
前記第２のアクセスポイントが前記第１のアクセスポイントのセルエッジの近くに存在することを前記決定された近接度が示す場合、前記ハンドオーバパラメータを第２の値に設定すること
を備え、前記第１の値は、前記アクセス端末が前記第１のアクセスポイントに早期ハンドオーバされる可能性を減少させるように定義され、前記第２の値は、前記アクセス端末が前記第１のアクセスポイントにハンドオーバされるのではなく前記第２のアクセスポイントに留まることによる機能停止を、前記アクセス端末が経験する可能性を減少させるように定義される、コンピュータ可読記録媒体。
【請求項４８】
前記ハンドオーバパラメータは、ヒステリシスパラメータを備える、請求項４７に記載のコンピュータ可読記録媒体。
【請求項４９】
前記ハンドオーバパラメータは、セル個別オフセットパラメータ、または、タイム・ツー・トリガパラメータを備える、請求項４７に記載のコンピュータ可読記録媒体。
【請求項５０】
前記近接度の決定は、前記第２のアクセスポイントから前記第１のアクセスポイントへの経路損失を推定することを備える、請求項４７に記載のコンピュータ可読記録媒体。
【請求項５１】
コンピュータに対して、請求項１、２乃至１４、２７、２８乃至３８のうちの一項に記載の方法を実行させるプログラム。
【請求項５２】
プログラムを記録したコンピュータ可読記憶デバイスであって、前記プログラムは、コンピュータに対して、請求項１、２乃至１４、２７、２８乃至３８のうちの一項に記載の方法を実行させる、コンピュータ可読記憶デバイス。
【発明の詳細な説明】
【技術分野】
【０００１】
［優先権の主張］
本出願は、参照により本明細書に組み込まれ、代理人事件番号１００１６０Ｐ１号が割り当てられた、２００９年１０月２２日に出願された米国仮出願６１／２５４，１４８号の利益および優先権を主張する。
【背景技術】
【０００２】
［分野］
本願は一般的に無線通信に関し、さらに詳細には、アクセスポイントによって送信されるべきパラメータを決定することに関するが、これに限定されるわけではない。
【０００３】
［序論］
無線通信ネットワークは、様々なタイプのサービス（例えば、音声、データ、マルチメディアサービスなど）を、定義された地理的エリアのユーザに提供するために、この地理的エリアにわたって展開されうる。典型的なインプリメンテーションにおいて、マクロアクセスポイント（例えば、各々が、１または複数のセルを介してサービスを提供する）は、マクロネットワークによってサービス提供される地理的エリア内で動作しているアクセス端末（例えば、携帯電話）に無線接続性を提供するために、マクロネットワーク全体に分散される。マクロネットワーク展開は、その地理的領域にわたって優れたカバレッジを供給するために、慎重に、計画、設計、および実現される。しかしながら、そのような慎重な計画も、室内環境における経路損失、フェーディング(fading)、マルチパス、シャドーウィングなどのチャネル特性に対して完全には適応することができない。このように、室内のユーザは、カバレッジ問題（例えば、呼の切断、品質の低下）に直面することが多く、それは粗末なユーザ経験に帰着する。
【０００４】
従来のネットワークのアクセスポイント（例えば、マクロアクセスポイント）を補うために、小さいカバレッジのアクセスポイントが展開され（例えば、ユーザの家に設置され）、よりロバスト(robust)な室内無線カバレッジまたは別のカバレッジをアクセス端末に提供しうる。このような小さいカバレッジのアクセスポイントは、例えば、フェムトアクセスポイント、フェムトセル、ホームノードＢ、ホーム発展型ノードＢ、あるいは、アクセスポイント基地局と呼ばれうる。典型的に、このような小さいカバレッジのアクセスポイントは、ＤＳＬルータまたはケーブルモデムを介して、インターネット、および、モバイルオペレータのネットワークに接続される。便宜上、下の論述において、小さいカバレッジのアクセスポイントは、フェムトセルまたはフェムトアクセスポイントと呼ばれうる。
【０００５】
多数のフェムトセルの計算外な展開は、様々な動作的問題を提示しうる。１つの例として、マクロネットワークとフェムトセルとの間でのアクセス端末のモビリティ管理について、複数の問題が生じうる。ここで、アクセス端末はネットワークと関連付けられた地理的エリア中を動き回るため、所与のセル内のアクセス端末の信号条件は劣化しうる。それにより、アクセス端末は、ネットワーク内の別のセル（例えば、アクセスポイント）によってより優れたサービスを提供されうる。すなわち、アクセス端末が、アイドルモードで別のセルへの再選択を行うこと、あるいは、アクティブモードで別のセルにハンドオーバすることが望まれうる。典型的な例は、現在マクロセルによってサービス提供されているモバイル加入者が、この加入者のフェムトセル(femto cell)が展開される場所（例えば、加入者の家）に来た場合、あるいは、現在フェムトセルによってサービス提供されているモバイル加入者が、このフェムトセルのカバレッジを出て、マクロセルからのサービスを獲得する必要がある場合であろう。
【０００６】
このようなモビリティを容易にするために、アクセス端末は、近くのセルの信号（例えば、ビーコン／パイロット信号）を定期的にモニタリングする。次に、これらの信号は、アクセス端末が、サービス提供している現在のセルに残るべきか、別のセルに切り替えるべきかを決定するために比較されうる。実際、１または複数のパラメータが使用され、アクセス端末が、どれだけ積極的に（例えば、どの信号条件下で）別のセルの探索を行うかを制御しうる。加えて、１または複数のパラメータが使用され、アクセス端末が、いつ（例えば、どんな信号条件下で）、別のセルへの再選択を行ったり、別のセルにハンドオーバしたりするかを制御しうる。
【０００７】
例えば、ＳＩＢ ３およびＳＩＢ １１などのマクロシステム情報ブロック（ＳＩＢ）セッティングは、優れたフェムトセル発見パフォーマンスを確実にし、マクロアクセス端末（例えば、フェムトセルのけるアクセスが認可されていないアクセス端末）による不必要な登録の試みを回避するように設定されうる。アクセス端末が、フェムトセルにキャンプオン（camp on）されると、アクセス端末は、アイドルセル再選択のために、フェムトセルによってブロードキャストされるＳＩＢセッティングを使用する。このように、フェムトセルＳＩＢパラメータ（例えば、ＳＩＢ ３およびＳＩＢ １１）は、ホームアクセス端末（例えば、フェムトセルにおけるアクセスが認可されたアクセス端末）に優れたパフォーマンスを提供するようにも設定されうる。特に、ホームアクセス端末がフェムトセルカバレッジを出る際に、このホームアクセス端末がタイミング良くマクロセルへの再選択を行うことで、アクセス端末が機能停止しないように、フェムトセルのＳＩＢパラメータを設定することが望まれうる。さらに、フェムトセルとマクロセルとの間のピンポン現象（ping-ponging effect）（例えば、アクセス端末が、フェムトセルとマクロセルとの間で再選択を行ったり来たりさせること）を回避することが望まれうる。マクロセルへのタイミングの良い再選択、および、フェムトセルとマクロセルとの間のピンポン現象の回避は、ページング失敗（missed page）、通話切断（call drop）、アクセス端末のバッテリー寿命の観点からパフォーマンスを改善しうる。
【０００８】
探索閾値（例えば、シントラサーチ（Sintrasearch）およびシンターサーチ（Sintersearch））に従うアクセス端末の場合、フェムトセルによってブロードキャストされる探索閾値は比較的低く設定され、アクセス端末は、フェムトセルでの信号品質が比較的低い場合（例えば、Ｅｃｐ／Ｉ０＜―１５ｄＢの場合）にのみ探索を行いうる。これは、特に、マクロＥｃｐ／Ｉ０が比較的高いマクロセルサイトの近くにおいて、フェムトセルとマクロセルとの間での起こりうるピンポンを回避しうる。同時に、フェムトセルによってブロードキャストされるＱｈｙｓｔパラメータは低い値（例えば、２ｄＢ）に設定され、特に、マクロＥｃｐ／Ｉ０が比較的低いマクロセルエッジにフェムトセルが位置する場合に、フェムトセルからマクロセルへのタイミングの良いセル再選択を確実にしうる。
【０００９】
しかしながら、いくつかのアクセス端末は、探索閾値に関係なく、探索を実行しうる。これらのアクセス端末について、シントラサーチおよびシンターサーチパラメータは、上述のピンポン現象の回避に役立たない可能性がある。
【発明の概要】
【００１０】
本開示のいくつかの例示的な態様についての概要が次に続く。この概要は、読者に都合良いように提供され、本開示の範囲を完全には定義しない。便宜上、本明細書において、「いくつかの態様（some aspect）」という用語は、本開示の単一の態様または複数の態様を指すために使用されうる。
【００１１】
本開示は、いくつかの態様において、アクセス端末のモビリティを容易にするために、アクセスポイントによる送信用の１または複数のパラメータを決定することに関する。例えば、いくつかの態様において、パラメータは、アクセス端末に対して発生しうるセル間のピンポンを緩和する方法で決定されうる。加えて、いくつかの態様において、パラメータは、アクセス端末がアクセスポイントに過度に長い間留まった結果として生じる機能停止(outage)を緩和する方法で決定されうる。
【００１２】
これらのパラメータは、様々な形態をとりうる。例えば、いくつかの態様において、これらのパラメータは、Ｑｈｙｓｔパラメータ、Ｑｑｕａｌｍｉｎパラメータ、Ｔｒｅｓｅｌｅｃｔｉｏｎパラメータ、Ｑｒｘｌｅｖｍｉｎパラメータ、Ｑｏｆｆｓｅｔパラメータのようなアイドルモードセル再選択パラメータを含みうる。加えて、いくつかの態様において、これらのパラメータは、ヒステリシス（Ｈｙｓｔ）パラメータ、セル個別オフセット（ＣＩＯ）パラメータ、タイム・ツー・トリガ（time to trigger）パラメータのようなアクティブモードハンドオーバ(active mode handover)パラメータを含みうる。
【００１３】
これらのパラメータは、様々な要因に基づいて決定されうる。例えば、いくつかの態様において、セル再選択パラメータおよび／またはハンドオーバパラメータは、あるアクセスポイント（例えば、フェムトセル）における別のアクセスポイント（例えば、マクロセル）からの信号の品質に基づいて決定されうる。加えて、いくつかの態様において、セル再選択パラメータおよび／またはハンドオーバパラメータは、あるアクセス端末（例えば、フェムトセル）と別のアクセスポイント（例えば、マクロセル）との近接度（proximity）に基づいて決定されうる。
【図面の簡単な説明】
【００１４】
本開示のこれらおよび別の例示的な態様は、次に続く発明を実施するための形態および添付の特許請求の範囲、並びに、添付図において記述されるであろう。
【図１】図１は、アクセスポイントが、決定された信号品質および／または近接度に基づいてモビリティパラメータを送信する通信システムのいくつかの例示的な態様の簡略化されたブロック図である。
【図２】図２は、決定された信号品質および／または近接度に基づいてモビリティパラメータを送信するために行われうる動作のいくつかの例示的な態様のフローチャートである。
【図３】図３は、決定された信号品質に基づいてセル再選択パラメータを送信するために行われうる動作のいくつかの例示的な態様のフローチャートである。
【図４】図４は、決定された近接度に基づいてセル再選択パラメータを送信するために行われうる動作のいくつかの例示的な態様のフローチャートである。
【図５】図５は、決定された信号品質に基づいてハンドオーバパラメータを送信するために行われうる動作のいくつかの例示的な態様のフローチャートである。
【図６】図６は、決定された近接度に基づいてハンドオーバパラメータを送信するために行われうる動作のいくつかの例示的な態様のフローチャートである。
【図７】図７は、複数のアクセスポイントについての決定された信号品質に基づいてセル再選択パラメータおよび／またはハンドオーバパラメータを送信するために行われうる動作のいくつかの例示的な態様のフローチャートである。
【図８】図８は、通信ノードで用いられうるコンポーネントのいくつかの例示的な態様の簡略化されたブロック図である。
【図９】図９は、無線通信システムの簡略化された図である。
【図１０】図１０は、フェムトセルノードを含む無線通信システムの簡略化された図である。
【図１１】図１１は、無線通信システムのためのカバレッジエリアを示す簡略化された図である。
【図１２】図１２は、通信コンポーネントのいくつかの例示的な態様の簡略化されたブロック図である。
【図１３】図１３は、本明細書において教示されるように、決定された信号品質および／または近接度に基づいてモビリティパラメータを送信するように構成された装置のいくつかの例示的な態様の簡略化されたブロック図である。
【図１４】図１４は、本明細書において教示されるように、決定された信号品質および／または近接度に基づいてモビリティパラメータを送信するように構成された装置のいくつかの例示的な態様の簡略化されたブロック図である。
【図１５】図１５は、本明細書において教示されるように、決定された信号品質および／または近接度に基づいてモビリティパラメータを送信するように構成された装置のいくつかの例示的な態様の簡略化されたブロック図である。
【図１６】図１６は、本明細書において教示されるように、決定された信号品質および／または近接度に基づいてモビリティパラメータを送信するように構成された装置のいくつかの例示的な態様の簡略化されたブロック図である。
【００１５】
一般的な実施に従って、図に示される様々な特徴は、原寸大で示されない可能性がある。結果として、様々な態様の大きさは、簡略化のために、自由に拡張または縮小されうる。加えて、図のうちのいくつかは、明瞭さのために簡略化されうる。このように、図は、所与の装置（例えば、デバイス）または方法の全てのコンポーネントを描写するわけではない。最後に、同様の参照番号は、本明細書および図面全体を通して同様の特徴を表すために使用されうる。
【発明を実施するための形態】
【００１６】
本開示の様々な態様が下に記述される。本明細書の教示が多種多様な形態で組み込まれうること、および、本明細書に開示されている任意の特定の構造、機能、または両方が、単に例示的なものであることは明白であるべきである。本明細書の教示に基づいて、当業者は、本明細書に開示される態様が、任意の別の態様とは独立して実施されうること、並びに、これらの態様のうちの２つ以上が様々な方法で組み合わせられうることを認識するべきである。例えば、本明細書に示される任意の数の態様を使用して、装置が実現されるか、方法が実施されうる。加えて、本明細書に示される１または複数の態様に加えて、あるいは、それらを除いて、別の構造、機能性、または、構造と機能性を使用して、そのような装置が実現されるか、あるいは、そのような方法が実施されうる。さらに、態様は、特許請求の範囲の少なくとも１つのエレメントを備えうる。
【００１７】
図１は、例示的な通信システム１００（例えば、通信ネットワークの一部）のいくつかのノードを示す。例示目的のために、本開示の様々な態様が、互いに通信する１または複数のアクセス端末、アクセスポイント、およびネットワークエンティティに関して記述されるであろう。しかしながら、本明細書の教示が、別の用語で呼ばれうる別のタイプの装置または類似した別の装置に適用可能でありうることは認識されるべきである。例えば、様々なインプリメンテーションにおいて、アクセスポイントは、基地局、ノードＢ、発展型ノードＢ、フェムトセル、マクロセルなどと呼ばれるか、それとして実現され、アクセス端末は、ユーザ機器（ＵＥ）、モバイル局などと呼ばれるか、それとして実現されうる。
【００１８】
システム１００のアクセスポイントは、１または複数のサービス（例えば、ネットワーク接続性）へのアクセスを、システム１００のカバレッジエリア内に設置されているか、システム１００のカバレッジエリア中を動き回りうる１または複数の無線端末（例えば、アクセス端末１０２）に提供する。例えば、様々な時点において、アクセス端末１０２は、アクセスポイント１０４、アクセスポイント１０６、または、システム１００内のあるアクセスポイント（示されない）に接続しうる。これらのアクセスポイントの各々は、広域ネットワーク接続性を容易にするために、１または複数のネットワークエンティティ（便宜上、ネットワークエンティティ１０８と表される）と通信しうる。
【００１９】
これらのネットワークエンティティは、例えば、１または複数の無線および／またはコアネットワークエンティティなどの様々な形態をとりうる。このように、様々なインプリメンテーションにおいて、ネットワークエンティティは、ネットワーク管理（例えば、動作、運営、管理、プロビジョニングエンティティを介した）、呼制御、セッション管理、モビリティ管理、ゲートウェイ機能、ネットワーク間機能、あるいは、ある別の適切なネットワーク機能性のうちの少なくとも１つのような機能性を表しうる。いくつかの態様において、モビリティ管理は、トラッキングエリア、位置エリア、ルーティンエリア、あるいは、ある別の適切な技術を用いて、アクセス端末の現在の位置を追跡し続けることと、アクセス端末へのページングを制御することと、アクセス端末にアクセス制御を提供することとに関する。さらに、これらのネットワークエンティティのうちの２つ以上は同じ場所に位置し、および／または、これらのネットワークエンティティのうちの２つ以上は、ネットワーク全体に分散されうる。
【００２０】
システム１００のアクセスポイントは、アクセス端末がアイドルモードセル再選択動作およびアクティブモードハンドオーバ動作をそれぞれどのように行うかについての様々な態様を制御するために、セル再選択パラメータおよびハンドオーバパラメータを送信する。図１の例において、アクセスポイント１０４（例えば、フェムトセル）は、点線１１０で表されるように、セル再選択パラメータおよびハンドオーバパラメータを送信する。アクセスポイント１０４の近くに存在するアクセス端末（例えば、アクセス端末１０２）は、これらのパラメータを受信し、様々なモビリティ動作（例えば、別のセルへの再選択を行うか否かを決定すること、ハンドオーバ関連動作を行うか否かを決定すること、周波数間探索を実行するか否かを決定すること）を制御するためにそれらを使用する。
【００２１】
本明細書の教示に従って、アクセスポイントは、動的に（すなわち、アクセスポイントの位置に関連して）そのようなパラメータの値を特定し、改善されたセル再選択パフォーマンスおよび／またはハンドオーバパフォーマンスを提供しうる。特に、アクセスポイントは、アクセスポイントの位置に基づいて異なるパラメータセッティングを用いて、これらのパラメータを使用するアクセス端末のパフォーマンスを改善しうる（例えば、より少ないページング失敗、より少ない通話切断、および、より長いバッテリー寿命の観点から）。例えば、パラメータは、第１のアクセスポイント（例えば、フェムトセル）が、第２のアクセスポイント（例えば、マクロセル）のセルサイトに位置する場合に、ある値に設定され、アクセスポイントが、第２のアクセスポイントのセルエッジに位置する場合に異なる値に設定されうる。
【００２２】
第１のアクセスポイントがセルサイトに存在する場合、パラメータは、現在第１のアクセスポイントにキャンプオンしているか、あるいは、それよってサービス提供されているアクセス端末が第２のアクセスポイントへの早期再選択を行うであろう可能性を減らすように設定される。例えば、パラメータは、第１のアクセスポイントにとどまる方向に、あらゆる再選択またはハンドオーバ決定をバイアスするように設定されうる。このように、このパラメータセッティングは、この場合は両方のアクセスポイントからの比較的強い信号の存在によりアクセス端末に対して生じうるセル間のピンポンを緩和する。
【００２３】
第１のアクセスポイントがセルエッジに存在する場合、パラメータは、第１のアクセスポイントからのサービスの衰え（例えば、アクセス端末が、第１のアクセスポイントから離れることによる）を経験しているアクセス端末が、第２のアクセスポイントへの再選択を行わずに、第１のアクセスポイントに留まるであろう可能性を減らすように設定されうる。例えば、パラメータは、第１のアクセスポイントにおける信号品質が衰えている場合に、あらゆる再選択またはハンドオーバ決定を、第１のアクセスポイントに留まらない方向にバイアスするように設定される。このように、このパラメータセッティングは、これらの条件下で、アクセス端末が過度に長い時間第１のアクセスポイントに留まった結果として起こりうる機能停止を緩和する。
【００２４】
上の観点から、第１のアクセスポイントは、第１のアクセスポイントと、第２のアクセスポイントのセルサイトまたはセルエッジとの近接度を決定することによって、セル再選択パラメータおよび／またはハンドオーバパラメータに使用されるべき値を決定（例えば、選択、調整、計算、または受信）しうる。このように、第１のアクセスポイントが第２のアクセスポイントのセルサイトに位置するかセルエッジに位置するかに依存して、第１のアクセスポイントは、これらのパラメータを受信する近くのアクセス端末の効率的な再選択および／またはハンドオーバを容易にするために、適切なパラメータを自動的に送信しうる。
【００２５】
特定の例として、フェムトセルのＱｈｙｓｔパラメータは、フェムトセルがマクロセルのセルエッジに位置する場合に比較的低い値に設定され、一方で、フェムトセルのＱｈｙｓｔパラメータは、フェムトセルがマクロセルのセルサイトに位置する場合に比較的高い値に設定されうる。これは、マクロ信号品質が低いセルエッジにおいて、アクセス端末がフェムトセルを出る際に、このアクセス端末がフェムトセルからマクロセルにタイミング良く再選択することを確実にしうる。ここで、Ｑｈｙｓｔパラメータがセルエッジにおいて極めて高く設定された場合、マクロセルは、フェムトセルよりも高くランクされず、それによって、アクセス端末は、アクセス端末が、フェムトセルから比較的離れている場合であっても、フェムトセルに留まりうる。このような場合、アクセス端末は、いずれ機能停止になりうる。一方、セルサイトにおいて、フェムトセルのＱｈｙｓｔパラメータは、アクセス端末が、フェムトセルとマクロセルとの間をピンポンする状況を回避するために、より高い値に設定されうる。ここで、フェムトセルのＱｈｙｓｔパラメータが極めて低く設定された場合、マクロセルは、フェムトセル境界において、フェムトセルよりも高くランクされ、結果として、アクセス端末は、フェムトセルからマクロセルへの早期再選択を行いうる。この場合、アクセス端末がマクロセルへ移動し、フェムトセル品質が十分に優れている場合、アクセス端末は、迅速に（または、比較的早く）、フェムトセルへの再選択を行いうる。
【００２６】
いくつかの態様において、第１のアクセスポイントが第２のアクセスポイントのセルサイトに位置するかセルエッジに位置するかについての決定は、アクセスポイントの相対的な近接度を決定すること、および／または、第２のアクセスポイントによって送信される信号が第１のアクセスポイントに現れた際にその信号の品質を決定することを含みうる。例えば、図１において、アクセスポイント１０４は、アクセスポイント１０４とアクセスポイント１０６との近接度の決定に基づいて、セル再選択およびハンドオーバパラメータを決定しうる。加えて、アクセスポイント１０４は、アクセスポイント１０４におけるアクセスポイント１０６からの信号の品質の決定に基づいて、セル再選択およびハンドオーバパラメータを決定しうる。
【００２７】
従って、アクセスポイント１０４は、信号品質決定コンポーネント１１４によって提供される信号品質情報に基づいて、あるいは、近接度決定コンポーネント１１６によって提供される近接度情報に基づいて、セル再選択パラメータおよび／またはハンドオーバパラメータを決定するパラメータ決定コンポーネント１１２を含む。コンポーネント１１４および１１６は、アクセスポイント１０４においてアクセスポイント１０６から受信される信号（線１１８で表される）、アクセス端末１０２から受信される信号および／または近接度情報（線１２０で表される）、または、ネットワークバックホールを介して受信される信号および／または近接度情報（線１２２で表される）のうちの１または複数に基づいて、それぞれの情報を決定する。
【００２８】
図２は、本明細書の教示に従って、１または複数のセル再選択パラメータおよび／または１または複数のハンドオーバパラメータを提供するために、アクセスポイントにおいて用いられうる例示的な動作を記述する。この例において、第１のアクセスポイント（例えば、フェムトセル）は、第２のアクセスポイント（例えば、マクロセル）によって送信された信号の信号品質を決定することによって、あるいは、第１のアクセスポイントと第２のアクセスポイントとの近接度を決定することによって、それが送信するであろうパラメータ値を決定する。
【００２９】
図２のブロック２０２で表されるように、第１のアクセスポイントは、第１のアクセスポイントによって送信されるべきパラメータを決定するために後に使用されるであろう信号品質情報および／または近接度情報を決定する。
【００３０】
第１のアクセスポイントは、信号品質情報を様々な方法で決定しうる。例えば、第１のアクセスポイントは、第１のアクセスポイントにおける信号の品質属性の推定を測定、推定、または受信しうる。この信号品質属性は、例えば、パイロット強度（Ｅｃｐ／Ｉ０）または受信信号コード電力（received signal code power：ＲＳＣＰ）などの様々な形態をとりうる。
【００３１】
いくつかの場合において、第１のアクセスポイントは、第２のアクセスポイントによって送信される信号の品質属性を測定する。例えば、第１のアクセスポイントがネットワーク受信モード(network listen mode)能力（例えば、順方向リンク受信機および対応する復号能力）を含む場合、第１のアクセスポイントは、第２のアクセスポイントから受信される信号のＥｃｐ／Ｉ０、ＲＳＣＰ、あるいは、ある別の属性を測定しうる。加えて、いくつかの場合において、第１のアクセスポイントは、受信信号に基づいて信号品質情報を生成しうる（例えば、本明細書で論述されるように、アクセスポイント間の経路損失を推定する）。
【００３２】
いくつかの場合において、第１のアクセスポイントは、近くのアクセス端末から信号品質情報を受信する。例えば、現在、第１のアクセスポイントにキャンプオンしているか、それによってサービス提供されているアクセス端末は、第２のアクセスポイントによって送信された受信信号の品質属性を測定しうる。アクセス端末が第１のアクセスポイントの極めて近接に存在するため、この信号品質情報は、第１のアクセスポイントにおける信号品質の推定を提供する。次に、アクセス端末は、この信号品質情報（例えば、信号品質のインジケーション）を第１のアクセスポイントに報告しうる。特定の例として、フェムトセルは、マクロ信号を測定するために、そのアクセス端末（例えば、フェムトセルにキャンプオンしているか、あるいは、それによってサービス提供されているホームＵＥ）の各々に要求を送りうる。要求を受信する各アクセス端末は、次に、そのアクセス端末によって見られるＲＦ条件に関する情報を提供するために、測定報告をフェムトセルに送りうる。
【００３３】
いくつかの場合において、第１のアクセスポイントは、バックホールを介して信号品質情報を受信する。例えば、第１のアクセスポイントの極めて近接に存在するが、現在、第１のアクセスポイント以外のアクセスポイント（例えば、第２のアクセスポイントまたはある別のアクセスポイント）にキャンプオンしているか、あるいは、それによってサービス提供されているアクセス端末は、第２のアクセスポイントによって送信された受信信号の品質属性を測定しうる。次に、アクセス端末は、この信号品質情報を、サービス提供するアクセスポイントに報告し、それは、後に、この情報（例えば、信号品質のインジケーション）を、バックホールを介して第１のアクセスポイントに報告しうる。さらに、アクセス端末が第１のアクセスポイントの極めて近接度に存在するため、この信号品質情報は、第１のアクセスポイントにおける信号品質の推定を提供する。
【００３４】
ここで、ブロック２０２において参照される近接度情報について、この近接度情報は、様々な形態をとりうる。例えば、近接度情報は、アクセスポイント間の距離の推定（例えば、第２のアクセスポイントから第１のアクセスポイントへの経路損失の推定によって示されるような）、第１のアクセスポイントが第２のアクセスポイントのセルサイトに存在するかセルエッジに存在するかを示すインジケーション、あるいは、第１のアクセスポイントの位置、または、第１と第２のアクセスポイントとの距離を示すある別のインジケーションという形態をとりうる。
【００３５】
第１のアクセスポイントは、この近接度情報を様々な方法で決定しうる。例えば、第１のアクセスポイントは、第２のアクセスポイントから受信される信号を処理して、近接度情報を生成するか、あるいは、第１のアクセスポイントは、近接度情報を別のノードから受信しうる。
【００３６】
第１のアクセスポイントは、様々な方法で、第２のアクセスポイントから受信される信号に基づいて近接度情報を生成しうる。例えば、第１のアクセスポイントは、第２のアクセスポイントから第１のアクセスポイントへの経路損失を、第１のアクセスポイントによって受信される信号に基づいて決定しうる（例えば、推定しうる）。１つの例として、第１のアクセスポイントは、第２のアクセスポイントからの信号の受信信号電力（例えば、共通パイロットチャネル（ＣＰＩＣＨ）ＲＳＣＰ）を測定し、さらに、その信号を送信するために第２のアクセスポイントによって使用される送信電力を決定しうる（例えば、第２のアクセスポイントによってブロードキャストされるＣＰＩＣＨ送信電力値を復号することによって）。次に、第１のアクセスポイントは、この受信信号電力および送信電力情報に基づいて経路損失を推定しうる。次に、この経路損失値は、第１のアクセスポイントと第２のアクセスポイントとの近接度を示すインジケーションを提供する。ここで、低い経路損失値は、第１のアクセスポイントが第２のアクセスポイントのセルサイトの近くに存在することを示し、高い経路損失値は、第１のアクセスポイントが第２のアクセスポイントのセルエッジの近くに存在することを示しうる。
【００３７】
第１のアクセスポイントは、近接度情報を様々な方法で受信しうる。例えば、ネットワークエンティティは、第１のアクセスポイントへの近接度を示す明示的なインジケーションを、バックホールを介して送りうる。ここで、ネットワークエンティティは、アクセスポイント間の距離を示すか、第１のアクセスポイントが第２のアクセスポイントのセルサイトの近くに存在するかセルエッジの近くに存在するかを示すか（例えば、データベースに保持される情報に基づいて）、あるいは、ある別の適切な近接度インジケーションを提供しうる。別の例として、ネットワークエンティティは、第１のアクセスポイントが後に近接度を決定するために使用しうる情報を送りうる（例えば、第１のアクセスポイントの近傍に存在するアクセス端末から情報を転送しうる）。
【００３８】
第１のアクセスポイントは、さらに、近接度情報をアクセス端末から受信しうる。例えば、第１のアクセスポイントは、第２のアクセスポイントからの信号を測定するために、現在、第１のアクセスポイントにキャンプオンしているか、あるいは、それによってサービス提供されているアクセス端末に要求を送り、第１のアクセスポイントに報告を送り返しうる。このように、この報告は、例えば、アクセス端末と第２のアクセスポイントとの近接度を示す情報を含みうる。加えて、いくつかの場合において、この報告は、アクセス端末によって見られた際の第１のアクセスポイントからの信号の受信信号品質に関する情報を含みうる。次に、第１のアクセスポイントは、この情報を使用して、近接度情報（例えば、経路損失）を推定しうる。特定の例として、ホームＵＥがホームフェムトセルに到着し、そのフェムトセルへの再選択を行う場合、このフェムトセルは、ホームＵＥがマクロセルのＣＰＩＣＨ ＰＳＣＰを測定することを要求しうる。次に、フェムトセルは、報告された値を使用して、マクロセルからフェムトセルへの経路損失を推定しうる。アクセス端末が、第１のアクセスポイントの極めて近接に存在するため、この経路損失値は、第２のアクセスポイントから第１のアクセスポイントへの経路損失の推定を提供する。
【００３９】
別の例として、第１のアクセスポイントの近くに存在するアクセス端末は、第２のアクセスポイントからアクセス端末への経路損失を直接計算し（例えば、前述された方法と同様の方法で）、この情報を第１のアクセスポイントに送りうる（例えば、直接的に、あるいは、別のアクセスポイントを介して）。さらに、この経路損失情報は、第２のアクセスポイントから第１のアクセスポイントへの経路損失の推定を提供する。
【００４０】
図２のブロック２０４で表されるように、第１のアクセスポイントは、ブロック２０２の決定された信号品質および／または決定された近接度に基づいて、１または複数のセル再選択パラメータおよび／または１または複数のハンドオーバパラメータを決定する。特に、第１のアクセスポイントは、第１のアクセスポイントが第２のアクセスポイントの近くに位置する場合、パラメータに対してある値を導き出し、第１のアクセスポイントが第２のアクセスポイントのセルエッジの近くに位置する場合、このパラメータに対して異なる値を導き出す。第１のアクセスポイントは、パラメータ値を様々な方法で決定しうる。
【００４１】
いくつかの場合において、パラメータ値は、決定された信号品質および／または決定された近接度の関数として計算される。例えば、決定されたＥｃｐ／Ｉ０値は、アルゴリズムの出力がセル再選択パラメータに使用されるべき値を提供するアルゴリズム（例えば、式）に対する入力として使用されうる。
【００４２】
いくつかの場合において、パラメータ値は、定義された値のセット（例えば、許容値のセット）から選択される。例えば、セットからのある値は、第１のアクセスポイントが第２のアクセスポイントのセルサイト（例えば、の近く）に存在する状況で使用するために定義され、セットからの別の値は、第１のアクセスポイントが第２のアクセスポイントのセルエッジ（例えば、の近く）に存在する状況で使用するために定義されうる。いくつかのインプリメンテーションにおいて、第１のアクセスポイントがセルサイトの近くに存在するかセルエッジの近くに存在するか決定することは、第１のアクセスポイントがセルサイトの定義された距離内に存在するかセルエッジの定義された距離内に存在するか決定することを含む。この定義された距離は、例えば、経路損失値または信号電力レベルによって示されうる。別のインプリメンテーションにおいて、第１のアクセスポイントがセルサイトの近くに存在するか否かを決定することは、第１のアクセスポイントが、セルエッジよりもセルサイトの近くに存在するか否かを決定することを含む。同様に、第１のアクセスポイントがセルエッジの近くに存在するか否かについての決定は、第１のアクセスポイントがセルサイトよりもセルエッジの近くに存在するか否か決定することを含みうる。
【００４３】
いくつかの場合において、パラメータ値は、決定された信号品質または近接度値と、１または複数の閾値との比較に基づいて選択される。例えば、決定された経路損失値が経路損失閾値以下である場合（これによって、第１のアクセスポイントがセルサイトに比較的近いことを示す）、パラメータは、セルサイト特有の値に設定されうる。具体的な例として、１１０ｄＢ未満の経路損失推定は、第１のアクセスポイントがセルサイトに存在することを示しうる。逆に、決定された経路損失値が経路損失閾値以上である場合（これによって、第１のアクセスポイントがセルエッジに比較的近いことを示す）、パラメータは、セルエッジ特有の値に設定されうる。具体的な例として、１２５ｄＢよりも大きい経路損失推定は、第１のアクセスポイントがセルエッジに存在することを示しうる。
【００４４】
上述されたように、パラメータは、定義されたパラメータ値のセットから選択されうる。例えば、第１のアクセスポイントがセルサイトの近くに存在する場合に対して、あるパラメータ値が定義され、第１のアクセスポイントがセルエッジの近くに存在する場合に対して、別のパラメータ値が定義され、第１のアクセスポイントがセルサイトとセルエッジの間に存在する場合に対して、さらに別のパラメータ値が設定されうる。別の場合では、別のタイプのパラメータ値が使用されうる。
【００４５】
図２のブロック２０６で表されるように、第１のアクセスポイントは、ブロック２０４で決定されたパラメータを適宜送信する。例えば、第１のアクセスポイントは、１または複数のＳＩＢにセル再選択パラメータを含む報知チャネルを送信し、それによって、このアクセスポイントにキャンプオンしているか、それによってサービス提供されている任意のアクセス端末は、これらのパラメータを使用して、アクセス端末が、あるセルから別のセルに（例えば、あるアクセスポイントから別のアクセスポイントに）どのように再選択するかを制御しうる。同様に、第１のアクセスポイントは、１または複数のＳＩＢにハンドオーバパラメータを含む報知チャネルを送信し、それによって、このアクセスポイントにキャンプオンしているか、それによってサービス提供されている任意のアクセス端末は、これらのパラメータを使用して、アクセス端末が、あるセルから別のセルに（例えば、あるアクセスポイントから別のアクセスポイントに）どのようにハンドオーバするかを制御しうる。
【００４６】
ここで、本明細書の教示に従ってパラメータを決定するための例示的な動作が、図３〜７のフローチャートに関連してより詳細に記述されるであろう。便宜上、図３〜７の動作（あるいは、本明細書で論述または教示される任意の別の動作）は、特定のコンポーネント（例えば、図１および図８のコンポーネント）によって行われているとして記述されうる。しかしながら、これらの動作が、別のタイプのコンポーネントによって行われうること、並びに、異なる数のコンポーネントを使用して行われうることは認識されるべきである。所与のインプリメンテーションでは、本明細書に記述される１または複数の動作が用いられない可能性があることも認識されるべきである。
【００４７】
図３は、信号品質情報に基づいてセル再選択パラメータを決定するために行われうる例示的な動作を記述する。例示の目的のために、この例は、マクロセルによって送信される信号の信号品質を決定することによってセル再選択パラメータ値を決定するフェムトセルに関して記述される。記述される技術が、別のタイプのアクセスポイントに適用可能でありうることは認識されるべきである。
【００４８】
ブロック３０２で表されるように、フェムトセルにおけるマクロ信号からの信号の品質が決定される。上述されたように、この信号品質は、様々な方法で決定されうる。
【００４９】
１つの例として、フェムトセルは、フェムトセルで受信されるマクロ信号に基づいて信号品質を決定しうる（例えば、ネットワーク受信モードを使用して）。例えば、フェムトセルは、マクロセルによって送信される信号のＥｃｐ／Ｉ０、ＲＳＣＰ、または、ある別の属性を測定しうる。
【００５０】
別の例において、フェムトセルは、アクセス端末から受信される信号情報に基づいて信号品質を決定しうる。例えば、フェムトセルにキャンプオンしているか、あるいは、それによってサービス提供されているアクセス端末は、マクロセルによって送信される信号のＥｃｐ／Ｉ０、ＲＳＣＰ、または、ある別の属性を測定しうる。次に、アクセス端末は、この情報をフェムトセルに報告しうる。いくつかの場合において、アクセス端末は、フェムトセルからの要求に応じて、この測定を行いうる。いくつかの場合において、フェムトセルは、信号品質情報（例えば、Ｅｃｐ／Ｉ０、ＲＳＣＰなど）をアクセス端末から直接受信しうる。いくつかの場合において、フェムトセルは、信号情報（例えば、瞬間電力値）をアクセス端末から受信し、次に、受信された情報に基づいて、信号品質情報（例えば、平均電力値）を決定しうる。
【００５１】
さらに別の例として、フェムトセルは、フェムトセルの極めて近接に存在するが、ある別のセルにキャンプオンしているか、それによってサービス提供されているアクセス端末から受信される信号情報に基づいて信号品質を決定しうる。例えば、そのようなアクセス端末は、マクロセルによって送信される信号のＥｃｐ／Ｉ０、ＲＳＣＰ、または、ある別の属性を測定し、次に、そのアクセス端末にサービス提供するセルに、この情報を報告しうる。次に、サービス提供するセルは、この情報を、バックホールを介してフェムトセルに送信しうる。
【００５２】
ブロック３０４で表されるように、第１のアクセスポイントは、決定された信号品質に基づいてセル再選択パラメータを決定する。上述されたように、このセル再選択パラメータは、様々な方法で決定されうる。
【００５３】
いくつかの場合において、セル再選択パラメータは、決定された信号品質の関数として決定される。Ｅｃｐ／Ｉ０信号品質およびＱｈｙｓｔパラメータについてのそのような関数の例は、次の通りである：
【数１】
0005575909.tif 000002
【００５４】
ここで、Ｑｈｙｓｔは、フェムトセルにおけるマクロ信号のＥｃｐ／Ｉ０が−１８ｄＢの場合に、０ｄＢに設定される。同様に、Ｑｈｙｓｔは、フェムトセルにおけるマクロ信号のＥｃｐ／Ｉ０が−１２ｄＢの場合に、４ｄＢに設定される。この場合、フェムトセルによってサービス提供されるアクセス端末におけるフェムト信号のＥｃｐ／Ｉ０が−１６ｄＢ未満の場合にセル再選択が発生しうる。別の例として、Ｑｈｙｓｔは、フェムトセルにおけるマクロ信号のＥｃｐ／Ｉ０が−６ｄＢである場合、８ｄＢに設定される。この場合、フェムトセルによってサービス提供されるアクセス端末におけるフェムト信号のＥｃｐ／Ｉ０が−１４ｄＢ未満の場合にセル再選択が発生しうる。さらに別の例として、Ｑｈｙｓｔは、フェムトセルにおけるマクロ信号のＥｃｐ／Ｉ０が−３ｄＢである場合、１０ｄＢに設定される。この場合、フェムトセルによってサービス提供されるアクセス端末におけるフェムト信号のＥｃｐ／Ｉ０が−１３ｄＢ未満の場合にセル再選択が発生しうる。
【００５５】
いくつかの場合において、セル再選択パラメータは、フェムトセルがマクロセルのセルサイトに存在することとセルエッジに存在することのどちらを信号品質が示すかに基づいて決定される。例えば、フェムトセルがセルサイトに存在することを信号品質が示す場合、セル再選択パラメータは、上で論述されたように、フェムトセルにキャンプオンしているか、それによってサービス提供されているアクセス端末による早期再選択(premature reselection)を緩和する値に設定されうる。逆に、フェムトセルがセルエッジに存在することを信号品質が示す場合、セル再選択パラメータは、上で論述されたように、フェムトセルにキャンプオンしているか、それによってサービス提供されているアクセス端末における機能停止を緩和する値に設定されうる。
【００５６】
いくつかの場合において、セル再選択パラメータは、閾値を使用して決定される。例えば、信号品質（例えば、Ｅｃｐ／Ｉ０またはＲＳＣＰ）が閾値以上である場合、セル再選択パラメータは、セルサイトに対して特定される値に設定されうる。逆に、信号品質が閾値（例えば、同じ閾値または異なる閾値）以下である場合、セル再選択パラメータは、セルエッジに対して特定される値に設定されうる。
【００５７】
上で論述されたように、様々なタイプのセル再選択パラメータは、本明細書の教示を使用して決定されうる。そのようなパラメータがセルサイトおよびセルエッジのシナリオについてどのように定義されうるかについてのいくつかの例が次に続く。
【００５８】
いくつかの態様において、Ｑｈｙｓｔパラメータは、セル再選択決定をバイアスするためにアクセス端末において使用されるヒステリシス値を特定する。一般的に、より高いＱｈｙｓｔ値は、セル再選択決定を、サービス提供するセル内に留まる方向にバイアスする傾向にあるであろう。逆に、より低いＱｈｙｓｔ値は、セル再選択決定を、サービス提供するセルを出る方向にバイアスする傾向にあるであろう。このように、Ｑｈｙｓｔパラメータは、フェムトセルがセルサイトに存在する場合、本明細書で論述されたように、早期セル再選択を緩和するためにより高い値に設定され、フェムトセルがセルエッジに存在する場合、本明細書で論述されたように、機能停止を緩和するために、より低い値に設定されうる。
【００５９】
いくつかの態様において、Ｑｑｕａｌｍｉｎパラメータは、セル（例えば、サービス提供するセルまたはターゲットセル）における最小要求信号品質に対応しうる。ターゲットセルに対するより低いＱｑｕａｌｍｉｎ値（または、サービス提供するセルに対するより高い値）は、アクセス端末がターゲットセルへの再選択を行うであろう可能性を増加させうる。逆に、ターゲットセルに対するより高いＱｑｕａｌｍｉｎ値（または、サービス提供するセルに対するより低い値）は、アクセス端末がターゲットセルへの再選択を行うであろう可能性を減少させうる。このように、ターゲットセル（例えば、マクロセル）に対して特定されるＱｑｕａｌｍｉｎパラメータは、フェムトセルがセルサイトに存在する場合に、より高い値に設定され、フェムトセルがセルエッジに存在する場合により低い値に設定されうる。
【００６０】
いくつかの態様において、Ｑｏｆｆｓｅｔパラメータは、セルの測定（例えば、信号強度）に加えられるオフセットに対応しうる。ターゲットセル（例えば、マクロセル）に対するより高いＱｏｆｆｓｅｔ値は、アクセス端末がターゲットセルへの再選択を行うであろう可能性を増加させうる。逆に、ターゲットセルに対するより低いＱｏｆｆｓｅｔ値は、アクセス端末がターゲットセルへの再選択を行うであろう可能性を減少させうる。このように、ターゲットセルに対するＱｏｆｆｓｅｔパラメータは、フェムトセルがセルサイトに存在する場合により低い値に設定され、フェムトセルがセルエッジに存在する場合により高い値に設定されうる。
【００６１】
いくつかの態様において、Ｔｒｅｓｅｌｅｃｔｉｏｎパラメータは、セル再選択を行うまでにアクセス端末が待つ時間量に対応しうる。より高い（すなわち、より長い）Ｔｒｅｓｅｌｅｃｔｉｏｎ値は、アクセス端末がターゲットセルへの再選択を行うであろう可能性を減少させうる。逆に、ターゲットセルに対するより低い（すなわち、より短い）Ｔｒｅｓｅｌｅｃｔｉｏｎ値は、アクセス端末がターゲットセルへの再選択を行うであろう可能性を減少させうる。このように、Ｔｒｅｓｅｌｅｃｔｉｏｎパラメータは、フェムトセルがセルサイトに存在する場合により高い値に設定され、フェムトセルがセルエッジに存在する場合により低い値に設定されうる。
【００６２】
いくつかの態様において、Ｑｒｘｌｅｖｍｉｎパラメータは、セルの最小受信信号レベル（例えば、ＲＳＣＰに基づくセルの品質の測定）に対応しうる。ターゲットセルに対するより高いＱｒｘｌｅｖｍｉｎ値（または、サービス提供するセルに対するより低い値）は、アクセス端末がターゲットセルへの再選択を行うであろう可能性を減少させうる。逆に、ターゲットセルに対するより低いＱｒｘｌｅｖｍｉｎ値（または、サービス提供するセルに対するより高い値）は、アクセス端末がターゲットセルへの再選択を行うであろう可能性を増加させうる。このように、ターゲットセル（例えば、マクロセル）に対するＱｒｘｌｅｖｍｉｎパラメータは、フェムトセルがセルサイトに存在する場合により高い値に設定され、フェムトセルがセルエッジに存在する場合により低い値に設定されうる。
【００６３】
さらに、使用されているセル再選択パラメータは、測定されている信号品質に依存しうる。例えば、再選択基準が、ＣＰＩＣＨ ＲＳＣＰ、Ｑｈｙｓｔ１、Ｑｏｆｆｓｅｔ１に基づく場合、セル再選択パラメータが使用されうる。逆に、再選択基準が、ＣＰＩＣＨ Ｅｃｐ／Ｉ０、Ｑｈｙｓｔ２、Ｑｏｆｆｓｅｔ２に基づく場合、セル再選択パラメータが使用されうる。
【００６４】
図３のブロック３０６で表されるように、フェムトセルは、ブロック３０４で決定されたセル再選択パラメータを送信する。結果として、このパラメータの受信に応じて、フェムトセルにキャンプオンしているか、それによってサービス提供されている任意のアクセス端末は、セル再選択パラメータを使用して、そのセル再選択動作を制御しうる。
【００６５】
図４は、近接度情報に基づいてセル再選択パラメータを決定するために行われうる例示的な動作を記述する。例示目的のために、この例は、フェムトセルとマクロセルとの相対的な近接度に基づいてセル再選択パラメータ値を決定するフェムトセルに関して記述される。
【００６６】
ブロック４０２で表されるように、フェムトセルとマクロセルとの近接度が決定される。上述されたように、この近接度は、様々な方法で決定されうる。
【００６７】
１つの例として、フェムトセルは、フェムトセルで受信されるマクロ信号に基づいて近接度情報を決定しうる（例えば、ネットワーク受信モードを用いて）。例えば、本明細書で論述されるように、フェムトセルによって受信される信号（例えば、受信電力、または、送信電力のインジケーション）に基づいてフェムトセルは、フェムトセルとマクロセルとの間の経路損失を決定しうる。次に、この経路損失値は、フェムトセルとマクロセルとの近接度を示すインジケーションを提供しうる（あるいは、提供するために使用されうる）。
【００６８】
別の例として、フェムトセルは、フェムトセルがアクセス端末から受信する信号情報に基づいて近接度情報を決定しうる。いくつかのインプリメンテーションにおいて、フェムトセルにキャンプオンしているか、それによってサービス提供されているアクセス端末は、マクロセルからの信号の受信信号電力（例えば、Ｅｃｐ／Ｉ０またはＲＳＣＰ）測定し、この情報をフェムトセルに報告しうる。次に、フェムトセルは、この情報を使用して、フェムトセルとマクロセルとの間の経路損失を推定しうる。別のインプリメンテーションにおいて、アクセス端末は、アクセス端末とマクロセルとの間の経路損損失を推定し（例えば、本明細書で論述されるように）、この情報を、フェムトセルとマクロセルとの間の経路損失の推定としてフェムトセルに報告しうる。いくつかのインプリメンテーションにおいて、アクセス端末は、フェムトセルからの情報を求める要求に応じて、この情報をフェムトセルに提供する。いくつかのインプリメンテーションにおいて、フェムトセルの極めて近接に存在するアクセス端末は、上に記述された測定を行い、対応する情報を、サービス提供しているアクセスポイントに報告しうる。すると、サービス提供するアクセスポイントは、バックホールを介してこの情報をフェムトセルに転送しうる。
【００６９】
さらに別の例として、フェムトセルは、フェムトセルとマクロセルとの近接度を示す明示的なインジケーションを受信しうる。例えば、ネットワークエンティティまたはアクセス端末は、ある別の方法で、フェムトセルからマクロセルまでの距離を示すか、フェムトセルがセルサイトに存在するかセルエッジに存在するかを示すか、あるいは、フェムトセルの位置を示す情報をフェムトセルに提供しうる。
【００７０】
図４のブロック４０４で表されるように、フェムトセルは、決定される近接度に基づいて、セル再選択パラメータを決定する。このセル再選択パラメータは、本明細書で論述されたような様々な方法で決定されうる。
【００７１】
いくつかの場合において、セル再選択パラメータは、決定された近接度の関数として決定される。例えば、セル再選択パラメータは、推定された経路損失の関数として計算されうる。
【００７２】
いくつかの場合において、セル再選択パラメータは、フェムトセルがマクロセルのセルサイトに存在することとセルエッジに存在することのどちらを近接度が示すかに基づいて決定される。本明細書で論述されるように、フェムトセルがセルサイトに存在することを近接度パラメータ（例えば、経路損失）が示す場合、セル再選択パラメータは、フェムトセルにキャンプオンしているか、それによってサービス提供されているアクセス端末による早期再選択を緩和する値に設定されうる。逆に、フェムトセルがセルエッジに存在することを近接度パラメータが示す場合、セル再選択パラメータは、上で論述されたように、フェムトセルにキャンプオンしているか、それによってサービス提供されているアクセス端末における機能停止を緩和する値に設定されうる。
【００７３】
いくつかの場合において、セル再選択パラメータは、閾値を使用して決定される。例えば、近接度パラメータ（例えば、経路損失）が閾値以上である場合、セル再選択パラメータは、セルサイトに対して特定された値に設定されうる。逆に、近接度パラメータが閾値（例えば、同じ閾値または異なる閾値）以下である場合、セル再選択パラメータは、セルエッジに対して特定された値に設定されうる。
【００７４】
ブロック３０４で論述されたもの（すなわち、Ｑｈｙｓｔ、Ｑｑｕａｌｍｉｎ、Ｔｒｅｓｌｅｃｔｉｏｎ、Ｑｒｘｌｅｖｍｉｎ）と類似したセル再選択パラメータは、近接度情報に基づいてセル再選択パラメータを決定するインプリメンテーションにおいて用いられうる。加えて、これらのパラメータは、上で論述された方法と類似した方法で調整されうる。例えば、Ｑｈｙｓｔパラメータは、フェムトセルがセルサイトに存在する場合、本明細書で論述されたように、早期セル再選択を緩和するためにより高い値に設定され、フェムトセルがセルエッジに存在する場合、本明細書で論述されたように、機能停止を緩和するためにより低い値に設定されうる。
【００７５】
図４のブロック４０６で表されるように、フェムトセルは、ブロック４０４で決定されたセル再選択パラメータを送信する。結果として、フェムトセルにキャンプオンしているか、それによってサービス提供されている任意のアクセス端末は、セル再選択パラメータを使用して、セル再選択動作を制御しうる。
【００７６】
図５は、信号品質情報に基づいてハンドオーバパラメータを決定するために行われうる例示的な動作を記述する。例示目的のために、この例は、マクロセルによって送信される信号の信号品質を決定することによってハンドオーバパラメータ値を決定するフェムトセルに関して記述される。
【００７７】
ブロック５０２によって表されるように、フェムトセルにおけるマクロセルからの信号の品質が決定される。この信号品質は、例えば、ブロック３０２において上で論述された方法と同様の方法で（例えば、マクロセルからの信号のＥｃｐ／Ｉ０またはＲＳＣＰを測定することによって）決定されうる。
【００７８】
ブロック５０４で表されるように、第１のアクセスポイントは、決定された信号品質に基づいてハンドオーバパラメータを決定する。このハンドオーバパラメータは、本明細書で論述されたように、様々な方法で決定されうる。
【００７９】
いくつかの場合において、ハンドオーバパラメータは、決定された信号品質の関数として決定される。例えば、ハンドオーバパラメータは、マクロセル信号のＥｃｐ／Ｉ０またはＲＳＣＰの関数として計算されうる。
【００８０】
いくつかの場合において、ハンドオーバパラメータは、フェムトセルがマクロセルのセルサイトに存在することとセルエッジに存在するとのどちらを決定された信号品質が示すかに基づいて決定される。フェムトセルがセルサイトに存在することを信号品質が示す場合、ハンドオーバパラメータは、フェムトセルによってサービス提供されているアクセス端末のマクロセルへの早期ハンドオーバを緩和する値に設定されうる。逆に、フェムトセルがセルエッジに存在することを信号品質が示す場合、ハンドオーバパラメータは、アクセス端末がマクロセルにハンドオーバされていないことに起因する、フェムトセルによってサービス提供されているアクセス端末における機能停止を緩和する値に設定されうる。
【００８１】
いくつかの場合において、ハンドオーバパラメータは、閾値を使用して決定される。例えば、信号品質（例えば、Ｅｃｐ／Ｉ０またはＲＳＣＰ）が閾値以上である場合、ハンドオーバパラメータは、セルサイトに対して特定される値に設定されうる。逆に、信号品質が閾値（例えば、同じ閾値または別の閾値）以下である場合、ハンドオーバパラメータは、セルエッジに対して特定される値に設定されうる。
【００８２】
上述されたように、様々なタイプのハンドオーバパラメータが、本明細書の教示を使用して決定されうる。そのようなパラメータがセルサイトおよびセルエッジのシナリオについてどのように定義されるかについてのいくつかの例が次に続く。
【００８３】
いくつかの態様において、アクティブモードのヒステリシスパラメータ（例えば、Ｈｙｓｔ）は、ハンドオーバ決定をバイアスするために使用されるヒステリアス値を特定しうる。例えば、より高いヒステリシス値は、ハンドオーバトリガイベント（例えば、イベント１ａ）を、サービス提供するセル方向にバイアスする傾向にありうる。逆に、より低いヒステリシス値は、ハンドオーバトリガイベントを、ターゲットセル方向にバイアスする傾向にありうる。このように、アクティブモードのヒステリアスパラメータは、フェムトセルがセルサイトに存在する場合、本明細書で論述されるように、早期セルハンドオーバを緩和するためにより高い値に設定され、フェムトセルがセルエッジに存在する場合、本明細書で論述されるように、機能停止を緩和するためにより低い値に設定されうる。
【００８４】
いくつかの態様において、タイム・ツー・トリガパラメータは、測定メッセージの送信が発生しうるまでの、イベントトリガ条件が満たされなければならない時間期間に対応しうる。より高い（すなわち、より長い）タイム・ツー・トリガ値は、アクセス端末がターゲットセルにハンドオーバされるであろう可能性を減らしうる。逆に、より低い（すなわち、より短い）タイム・ツー・トリガ値は、アクセス端末がターゲットセルにハンドオーバされるであろう可能性を増やしうる。このように、タイム・ツー・トリガパラメータは、フェムトセルがセルサイトに存在する場合により高い値に設定され、フェムトセルがセルエッジに存在する場合により低い値に設定されうる。
【００８５】
いくつかの態様において、アクティブモードのセル個別オフセット（ＣＩＯ）パラメータは、ターゲットセル方向のバイアスを特定する。例えば、より低いＣＩＯ値は、アクティブモードのハンドオーバ決定を、サービス提供するセルに留まる方向にバイアスする傾向にありうる。逆に、より高いＣＩＯ値は、アクティブモードのハンドオーバ決定を、ターゲットセルにハンドオーバする方向にバイアスする傾向にありうる。このように、ＣＩＯパラメータは、フェムトセルがセルサイトに存在する場合、本明細書で論述されるように、早期セル再選択を緩和するためにより低い値に設定され、フェムトセルがセルエッジに存在する場合、本明細書で論述されるように、機能停止を緩和するために、より高いに設定されうる。
【００８６】
ブロック５０６によって表されるように、フェムトセルは、ブロック５０４で決定されたハンドオーバパラメータを送信する。結果として、このパラメータの受信を受けて、フェムトセルによってサービス提供されている任意のアクセス端末は、ハンドオーバパラメータを使用して（または、アクセス端末は、パラメータをネットワークに転送して）、アクセス端末のハンドオーバ動作を制御しうる。
【００８７】
図６は、近接度情報に基づいてハンドオーバパラメータを決定するために行われうる例示的な動作を記述する。例示目的のために、この例は、フェムトセルとマクロセルとの相対的な近接度に基づいてハンドオーバパラメータ値を決定するフェムトセルに関して記述される。
【００８８】
ブロック６０２で表されるように、フェムトセルとマクロセルとの近接度が決定される。この近接度情報は、例えば、ブロック４０２において上で論述された方法と同様の方法で決定されうる（例えば、フェムトセルとマクロセルとの間の経路損失を推定することによって）。
【００８９】
ブロック６０４によって表されるように、フェムトセルは、決定された近接度に基づいてハンドオーバパラメータを決定する。このハンドオーバパラメータは、本明細書で論述されたように、様々な方法で決定されうる。
【００９０】
いくつかの場合において、ハンドドーバパラメータは、決定された近接度の関数として決定される。例えば、ハンドオーバパラメータは、推定される経路損失の関数として計算されうる。
【００９１】
いくつかの場合において、ハンドオーバパラメータは、フェムトセルがマクロセルのセルサイトに存在することとセルエッジに存在することのどちらを近接度が示すかに基づいて決定される。本明細書で論述されるように、フェムトセルがセルサイトに存在することを近接度パラメータ（例えば、経路損失）が示す場合、ハンドオーバパラメータは、フェムトセルによってサービス提供されているアクセス端末による早期ハンドオーバを緩和する値に設定されうる。逆に、フェムトセルがセルエッジに存在することを近接度パラメータが示す場合、ハンドオーバパラメータは、上に論述されたように、フェムトセルによってサービス提供されているアクセス端末における機能停止を緩和する値に設定されうる。
【００９２】
いくつかの場合において、ハンドオーバパラメータは、閾値を使用して決定される。例えば、近接度パラメータ（例えば、経路損失）が閾値以上である場合、ハンドオーバパラメータは、セルサイトに対して特定された値に設定されうる。逆に、近接度パラメータが閾値（例えば、同じ閾値または異なる閾値）以下である場合、ハンドオーバパラメータは、セルエッジに対して特定された値に設定されうる。
【００９３】
ブロック５０４で論述されたもの（すなわち、ヒステリシスおよびＣＩＯ）と類似したハンドオーバパラメータが、近接度情報に基づいてハンドオーバパラメータを決定するインプリメンテーションにおいて用いられうる。加えて、これらのパラメータは、上で論述された方法と類似した方法で調整されうる。例えば、アクティブモードのヒステリシスパラメータは、フェムトセルがセルサイトに存在する場合、本明細書で論述されたように、早期セル再選択を緩和するために、より高い値に設定され、フェムトセルがセルエッジに存在する場合、本明細書で論述されたように、機能停止を緩和するために、より低い値に設定されうる。
【００９４】
ブロック６０６で表されるように、フェムトセルは、ブロック６０４で決定されるハンドオーバパラメータを送信する。結果として、フェムトセルによってサービス提供されている任意のアクセス端末は、ハンドオーバパラメータを使用（または、転送）して、アクセス端末のハンドオーバ動作を制御しうる。
【００９５】
図７は、複数のアクセスポイントからの信号と関連付けられた信号品質情報に基づいてセル再選択パラメータまたはハンドオーバパラメータを決定するために行われうる例示的な動作を記述する。さらに、例示目的のために、この例は、フェムトセルが、フェムトセル信号品質およびマクロセル信号品質のフェムトアクセス端末（例えば、ホームＵＥ）測定報告に基づいてパラメータを決定（例えば、選択または微調整）する場合を記述する。
【００９６】
ブロック７０２で表されるように、アクセス端末におけるマクロセルからの信号の品質が決定される。この信号品質は、例えば、ブロック３０２において上で論述された方法と同様の方法で、アクセス端末によって決定されうる（例えば、マクロセルから受信される信号のＥｃｐ／Ｉ０またはＲＳＣＰを測定することによって）。
【００９７】
ブロック７０４で表されるように、フェムトセルからの信号の品質が決定される。この信号品質は、例えば、上で論述されたように、アクセス端末測定を介して決定されうる。例えば、現在フェムトセルにキャンプオンしているか、それによってサービス提供されているアクセス端末は、フェムトセルから受信される信号を測定し（例えば、Ｅｃｐ／Ｉ０またはＲＳＣＰ情報を取得するために）、この情報をフェムトセルに報告しうる。いくつかのインプリメンテーションにおいて、アクセス端末は、フェムトセルからの情報を求める要求に応じて、この情報をフェムトセルに提供する。いくつかのインプリメンテーションにおいて、フェムトセルの極めて近接度に存在するアクセス端末は、上に記述された測定を行い、対応する情報を、サービス提供するアクセスポイントに報告しうる。すると、サービス提供するアクセスポイントは、この情報を、バックホールを介してフェムトセルに転送する。
【００９８】
ブロック７０６で表されるように、フェムトセルは、マクロセルからの信号の品質およびフェムトセルからの信号の品質に基づいて、少なくとも１つのセル再選択パラメータおよび／または少なくとも１つのハンドオーバパラメータを決定する。例えば、パラメータの値は、これらの品質値の差に基づいて導き出されうる。
【００９９】
例示目的のために、Ｑｈｙｓｔパラメータが、フェムトセル信号品質およびマクロセル信号品質に基づいて選択される例が次に続く。ここで、フェムトセルＥｃｐ／Ｉ０およびマクロセルＥｃｐ／Ｉ０の共同分散に基づいて、Ｑｈｙｓｔは、マクロセルとフェムトセルとの間のピンポンが回避されるように、可能な最小値として選択されうる。このように、フェムトセル信号品質とマクロセル信号品質との差が比較的大きい場合、Ｑｈｙｓｔはより低い値に設定される。逆に、フェムトセル信号品質とマクロセル信号品質との差が比較的小さい場合、Ｑｈｙｓｔはより高い値に設定される。
【０１００】
次に、図７のブロック７０８で表されるように、フェムトセルは、ブロック７０６で決定されたパラメータを送信する。結果として、フェムトセルにキャンプオンしているか、それによってサービス提供されている任意のアクセス端末は、パラメータを使用して、セル再選択および／またはハンドオーバ動作を制御しうる。
【０１０１】
図８は、本明細書で教示されたようなパラメータ決定動作を行うための、アクセスポイント８０２（例えば、アクセスポイント１０４に対応する）のようなノードに組み込まれうるいくつかの例示的なコンポーネント（対応するブロックで表される）を示す。記述されるコンポーネントは、通信システムの別のノードにも組み込まれうる。例えば、システムの別のノードは、同様の機能性を提供するために、アクセスポイント８０２について記述されたコンポーネントと類似したコンポーネントを含みうる。さらに、所与のノードは、１または複数の記述されたコンポーネントを含みうる。例えば、アクセスポイントは、アクセスポイントが、複数のキャリア上で動作すること、および／または、異なるテクノロジを介して通信することを可能にする複数のトランシーバコンポーネントを含みうる。
【０１０２】
図８に示されるように、アクセスポイント８０２は、別のノードと通信するためにトランシーバ８０４を含む。トランシーバ８０４は、信号（例えば、パラメータ、要求、メッセージ、インジケーション）を送信するための送信機８０６と、信号（例えば、パラメータ、情報、メッセージ、インジケーション）を受信するための受信機８０８とを含む。
【０１０３】
アクセスポイント８０４は、さらに、別のノード（例えば、ネットワークエンティティ）と通信するためのネットワークインターフェース８１０を含む。例えば、ネットワークインターフェース８１０は、有線ベースの、あるいは、無線のバックホールを介して１または複数のネットワークエンティティと通信するように構成されうる。いくつかの態様において、ネットワークインターフェース８１０は、有線ベースの、あるいは、無線の通信をサポートするように構成されたトランシーバ（例えば、送信機８１２および受信機８１４を備える）として実現されうる。
【０１０４】
アクセスポイント８０２は、さらに、本明細書に教示されるようなパラメータ決定動作に関して使用されうる別のコンポーネントを含む。例えば、アクセスポイント８０２は、パラメータ関連動作（例えば、信号品質を決定すること、セル再選択パラメータを決定すること、第１のアクセスポイントと第２のアクセスポイントとの近接度を決定すること、ハンドオーパラメータを決定すること）を実行するため、並びに、本明細書で教示されたような別の関連機能性を提供するためのパラメータコントローラ８１６を含む加えて、アクセスポイント８０２は、情報（例えば、パラメータ関連情報）を保持するためのメモリコンポーネント８１８（例えば、メモリデバイスを含む）を含む。
【０１０５】
便宜上、図８において、アクセスポイント８０２は、本明細書において記述された様々な例で使用されうるコンポーネントを含んでいるように示される。実際、１または複数の記述されたコンポーネントは、異なるインプリメンテーションでは、異なる方法で実現されうる。例として、パラメータコントローラ８１６の機能性は、図６に従って実現される実施形態と比較して、図３に従って実現される実施形態において異なりうる。
【０１０６】
いくつかのインプリメンテーションにおいて、図８のコンポーネントは、１または複数のプロセッサで実現されうる（例えば、各々が、この機能性を提供するために、プロセッサによって使用される情報またはコードを記憶するためのデータメモリを使用および／または組み込む）。例えば、ブロック８０４および８１０によって表される機能性のうちのいくつか、および、ブロック８１６および８１８によって表される機能性のいくつかあるいは全ては、アクセスポイントの１つのプロセッサまたは複数のプロセッサ、並びに、アクセスポイントのデータメモリによって実現されうる（例えば、適切なコードの実行によって、および／または、プロセッサコンポーネントの適切な構成によって）。
【０１０７】
上で論述されたように、いくつかの態様において、本明細書の教示は、マクロスケールのカバレッジ（例えば、典型的に、マクロセルネットワークまたはＷＡＮと呼ばれる、３Ｇネットワークのような広域セルラネットワーク）、および、より小さいスケールのカバレッジ（例えば、典型的にＬＡＮと呼ばれる、レジデンスベースまたは建物ベースのネットワーク環境）を含むネットワークにおいて用いられうる。アクセス端末（ＡＴ）が、そのようなネットワークを通って移動すると、アクセス端末は、ある位置では、マクロカバレッジを提供するアクセスポイントによってサービス提供され、別の位置では、より小さいスケールのカバレッジを提供するアクセスポイントによってサービス提供されうる。いくつかの態様において、より小さいカバレッジノードは、インクリメントな容量の増加、建物内のカバレッジ、および、異なるサービス（例えば、よりロバストなユーザ経験のための）を提供するために使用されうる。
【０１０８】
本明細書の記述において、比較的広いエリアにわたってカバレッジを提供するノード（例えば、アクセスポイント）は、マクロアクセスポイントと呼ばれ、比較的小さいエリア（例えば、レジデンス）にわたってカバレッジを提供するノードは、フェムトアクセスポイントと呼ばれうる。本明細書の教示が、別のタイプのカバレッジエリアと関連付けられたノードに適用可能でありうることは認識されるべきである。例えば、ピコアクセスポイントは、マクロエリアよりも小さく、フェムトエリアよりも大きいエリアにわたってカバレッジを提供しうる（例えば、商業ビル内のカバレッジ）。様々なアプリケーションにおいて、マクロアクセスポイント、フェムトアクセスポイント、あるいは別のアクセスポイントタイプのノードを参照するために、別の用語が使用されうる。例えば、マクロアクセスポイントは、アクセスノード、基地局、アクセスポイント、発展型ノードＢ、マクロセルなどとして構成されるか、あるいは、そう呼ばれうる。同様に、フェムトアクセスポイントは、ホームノードＢ、ホーム発展型ノードＢ、アクセスポイント基地局、フェムトセルなどとして構成されるか、あるいは、そう呼ばれうる。いくつかのインプリメンテーションにおいて、ノードは、１または複数のセルまたはセクタと関連付けられうる（例えば、それと呼ばれるか、それに分割されうる）。マクロアクセスポイント、フェムトアクセスポイント、または、ピコアクセスポイントと関連付けられたセルまたはセクタは、それぞれ、マクロセル、フェムトセル、または、ピコセルと呼ばれうる。
【０１０９】
図９は、本明細書の教示が実現されうる、多数のユーザをサポートするように構成された無線通信システム９００を示す。システム９００は、例えば、各々が、対応するアクセスポイント９０４（例えば、アクセスポイント９０４Ａ〜９０４Ｇ）によってサービス提供されているマクロセル９０２Ａ〜９０２Ｇのような複数のセル９０２に対して通信を提供する。図９に示されるように、アクセス端末９０６（例えば、アクセス端末９０６Ａ〜９０６Ｌ）は、ある時間にわたって、システム全体の様々な位置に分散されうる。各アクセス端末９０６は、例えば、アクセス端末９０６がアクティブであるか否か、および、それがソフトハンドオフであるか否かに依存して、所与の時間に順方向リンク（ＦＬ）および／または逆方向リンク（ＲＬ）で１または複数のアクセスポイント９０４と通信しうる。無線通信システム９００は、広い地理的領域にわたってサービスを提供しうる。例えば、マクロセル９０２Ａ〜９０２Ｇは、近接する数ブロックをカバーし、あるいは、田舎の環境において数マイル離れた数ブロックをカバーしうる。
【０１１０】
図１０は、１または複数のフェムトアクセスポイントがネットワーク環境内で展開される例示的な通信システム１０００を示す。特に、システム１０００は、比較的小さいスケールのネットワーク環境（例えば、１または複数のユーザレジデンス１０３０）に配置された複数のフェムトアクセスポイント１０１０（例えば、フェムトアクセスポイント１０１０Ａおよび１０１０Ｂ）を含む。フェムトアクセスポイント１０１０の各々は、ＤＳＬルータ、ケーブルモデム、無線リンク、あるいは、別の接続性手段（示されない）を介して、広域ネットワーク１０４０（例えば、インターネット）およびモバイルオペレータコアネットワーク１０５０に結合されうる。下に論述されるように、フェムトアクセスポイント１０１０の各々は、関連アクセス端末１０２０（例えば、アクセス端末１０２０Ａ）、並びに、オプション的に、別の（例えば、ハイブリッドまたは他の）アクセス端末１０２０（例えば、アクセス端末１０２０Ｂ）にサービス提供するように構成されうる。換言すると、フェムトアクセスポイント１０１０へのアクセスが制限されるため、所与のアクセス端末１０２０は、指定の（例えば、ホーム）フェムトアクセスポイント１０１０のセットによってサービス提供されうるが、指定外のフェムトセルアクセスポイント１０１０（例えば、隣接するフェムトアクセスポイント１０１０）からはサービス提供されない。
【０１１１】
図１１は、各々が、いくつかのマクロカバレッジエリア１１０４を含むいくつかのトラッキングエリア１１０２（あるいは、ルーティンエリアまたは位置エリア）が定義されるカバレッジマップ１１００の例を示す。ここで、トラッキングエリア１１０２Ａ、１１０２Ｂ、１１０２Ｃと関連付けられたカバレッジのエリアは、太線で描かれ、マクロカバレッジエリア１１０４は、より大きい六角形で表される。トラッキングエリア１１０２は、さらに、フェムトカバレッジエリア１１０６を含みうる。この例において、フェムトカバレッジエリア１１０６の各々（例えば、フェムトカバレッジエリア１１０６Ｂおよび１１０６Ｃ）は、１または複数のカバレッジエリア１１０４（例えば、マクロカバレッジエリア１１０４Ａおよび１１０４Ｂ）内に描写される。しかしながら、フェムトカバレッジエリア１１０６のうちのいくつかあるいは全てが、マクロカバレッジエリア１１０４内に位置しない可能性があることは認識されるべきである。実際、より多くの数のフェムトカバレッジエリア１１０６（例えば、フェムトカバレッジエリア１１０６Ａおよび１１０６Ｄ）は、所与のトラッキングエリア１１０２またはマクロカバレッジエリア１１０４内に定義されうる。同様に、１または複数のピコカバレッジエリア（示されない）は、所与のトラッキングエリア１１０２またはマクロカバレッジエリア１１０４内に定義されうる。
【０１１２】
図１０を再び参照すると、フェムトアクセスポイント１０１０のオーナーは、例えば、３Ｇモバイルサービスのような、モバイルオペレータコアネットワーク１０５０を通して提供されるモバイルサービスに加入しうる。加えて、アクセス端末１０２０は、マクロ環境と、より小さいスケール（例えば、レジデンス）のネットワーク環境の両方で動作することができる。換言すると、アクセス端末１０２０の現在の位置に依存して、アクセス端末１０２０は、モバイルオペレータコアネットワーク１０５０と関連付けられたマクロセルアクセスポイント１０６０、または、フェムトアクセスポイント１０１０のセットのうちのいずれか１つ（例えば、対応するユーザレジデンス１０３０内に存在するフェムトアクセスポイント１０１０Ａおよび１０１０Ｂ）によってサービス提供されうる。例えば、加入者が、加入者の家の外にいる場合、加入者は、標準マクロアクセスポイント（例えば、アクセスポイント１０６０）によってサービス提供され、加入者が家にいる場合、加入者は、フェムトアクセスポイント（例えば、アクセスポイント１０１０Ａ）によってサービス提供されるここで、フェムトアクセスポイント１０１０は、レガシアクセス端末１０２０との互換性を有しうる。
【０１１３】
フェムトアクセスポイント１０１０は、単一の周波数上で、または、代替で、複数の周波数上で展開されうる。特定の構成に依存して、単一の周波数、または、複数の周波数のうちの１または複数は、マクロアクセスポイント（例えば、アクセスポイント１０６０）によって使用される１または複数の周波数とオーバラップしうる。
【０１１４】
いくつかの態様において、アクセス端末１０２０は、接続が可能な場合は常に、好まれるフェムトアクセスポイント（例えば、アクセス端末１０２０のホームフェムトアクセスポイント）に接続するように構成されうる。例えば、アクセス端末１０２０Ａがユーザのレジデンス１０３０内に存在する場合は常に、アクセス端末１０２０Ａがホームフェムトアクセスポイント１０１０Ａまたは１０１０Ｂだけと通信することが望まれうる。
【０１１５】
いくつかの態様において、アクセス端末１０２０が、マクロセルラネットワーク１０５０内で動作するが、最も好まれるネットワーク（例えば、好まれるローミングリストで定義されるような）には存在していない場合、アクセス端末１０２０は、より良いシステムが現在利用可能であるか否かを決定し、続いて、そのような好まれるシステムを獲得するための、利用可能なシステムの周期的スキャンを含みうるより良いシステム再選択（ＢＳＲ）手順を使用して、最も好まれるネットワーク（例えば、好まれるフェムトアクセスポイント１０１０）の探索を継続しうる。アクセス端末１０２０は、特定の帯域およびチャネルに対する探索を制限しうる。例えば、１または複数のフェムトチャネルが定義され、それによって、領域内の全てのフェムトアクセスポイント（または、全ての制限付きフェムトアクセスポイント）がフェムトチャネル上で動作しうる。最も好まれるシステムの探索は、周期的に繰り返されうる。好まれるフェムトアクセスポイント１０１０の発見に応じて、アクセス端末１０２０は、フェムトアクセスポイント１０１０を選択し、そのカバレッジエリア内にいる場合に使用するためにそれに登録する。
【０１１６】
いくつかの態様において、フェムトアクセスポイントへのアクセスは、制限されうる。例えば、所与のフェムトアクセスポイントは、特定のアクセス端末への特定のサービスしか提供しない可能性がある。通称、制限付き（クローズド）アクセスでの展開の場合、所与のアクセス端末は、マクロセルモバイルネットワーク、および、定義されたフェムトアクセスポイントのセット（例えば、対応するユーザレジデンス１０３０内に存在するフェムトアクセスポイント１０１０）によってサービス提供されうる。いくつかのインプリメンテーションにおいて、アクセスポイントは、少なくとも１つのノード（例えば、アクセス端末）に対して、シグナリング、データアクセス、登録、ページング、またはサービスのうちの少なくとも１つを提供しないように制限されうる。
【０１１７】
いくつかの態様において、制限付きフェムトアクセスポイント（クローズド加入者グループホームノードＢとも呼ばれうる）は、アクセス端末の制限付きプロビジョンドセットにサービスを提供するものである。このセットは、必要に応じて、一時的に、または、永久的に拡張されうる。いくつかの態様において、クローズド加入者グループ（ＣＳＧ）は、アクセス端末の共通アクセス制御リストを共有するアクセスポイント（例えば、フェムトアクセスポイント）のセットとして定義されうる。
【０１１８】
このように、様々な関係が、所与のフェムトアクセスポイントと、所与のアクセス端末との間に存在しうる。例えば、アクセス端末の観点から、オープンフェムトアクセスポイントは、無制限アクセスを有するフェムトアクセスポイントを指しうる（例えば、フェムトアクセスポイントは、あらゆるアクセス端末へのアクセスを可能にする）。制限付きフェムトアクセスポイントは、ある方法で制限されたフェムトアクセスポイントを指しうる(例えば、アクセスおよび／または登録に対して制限された)。ホームフェムトアクセスポイントは、アクセス端末が、アクセスおよび動作することを認可されるフェムトアクセスポイントを指しうる（例えば、永久的なアクセスが、１または複数のアクセス端末の定義されたセットに対して提供される）。ハイブリッドな（または、ゲストの）フェムトアクセスポイントは、異なるアクセス端末に異なるレベルのサービスが提供されるフェムトアクセスポイントを指しうる（例えば、いくつかのアクセス端末は、部分的および／または一時的なアクセスが可能にされ、別のアクセス端末は、フルアクセスが可能にされうる）。他のフェムトアクセスポイントは、アクセス端末が、恐らく緊急の状況（例えば、９１１呼出）を除いて、アクセスまたは動作することを認可されていないフェムトアクセスポイントを指しうる。
【０１１９】
制限付のフェムトアクセスポイントの観点から、ホームアクセス端末は、アクセス端末のオーナーのレジデンスに設置された制限付のフェムトアクセスポイントにアクセスすることが認可されたアクセス端末を指しうる（通常、ホームアクセス端末は、そのフェムトアクセスポイントへの永久的なアクセスを有する）。ゲストのアクセス端末は、制限付き(例えば、デッドライン、使用時間、バイト、接続カウント、あるいは、ある別の基準または基準群に基づいて制限された)フェムトアクセスポイントへの一時的なアクセスを有するアクセス端末を指しうる。他のアクセス端末は、恐らく、９１１呼出のような緊急の状況を除いて、制限付きフェムトアクセスポイントにアクセスする許可を有さないアクセス端末を指しうる（例えば、その制限付きフェムトアクセスポイントと登録する資格または許可を有さないアクセス端末）。
【０１２０】
便宜上、本明細書の開示は、フェムトアクセスポイントに関して、様々な機能性を記述する。しかしながら、ピコアクセスポイントが、同一または類似した機能性をより大きいカバレッジエリアに提供しうることは認識されるべきである。例えば、ピコアクセスポイントは制限され、ホームピコアクセスポイントは所与のアクセス端末に対して定義されうる。
【０１２１】
本明細書の教示は、複数の無線アクセス端末のための通信を同時にサポートする無線多元接続通信システムで用いられうる。ここで、各端末は、順方向リンクおよび逆方向リンク上での送信を介して１または複数のアクセスポイントと通信しうる。順方向リンク（または、ダウンリンク）は、アクセスポイントから端末への通信リンクを指し、逆方向リンク（または、アップリンク）は、端末からアクセスポイントへの通信リンクを指す。この通信リンクは、単一入力単一出力システム、多入力多出力（ＭＩＭＯ）システム、または、ある別のタイプのシステムを介して確立されうる。
【０１２２】
ＭＩＭＯシステムは、データ送信のために、複数（ＮＴ個）の送信アンテナと、複数（ＮＲ）個の受信アンテナを用いる。ＮＴ個の送信アンテナとＮＲ個の受信アンテナとで形成されるＭＩＭＯチャネルは、空間チャネルとも呼ばれうるＮＳ個の個別チャネルに分解されうる。ここで、ＮＳ≦ｍｉｎ｛ＮＴ，ＮＲ｝である。ＮＳ個の個別チャネルの各々は、次元に対応する。ＭＩＭＯシステムは、複数の送信および受信アンテナによって作られる次元性がさらに利用されると、改善されたパフォーマンス（例えば、より高いスループットおよび／またはより高い信頼性）を提供しうる。
【０１２３】
ＭＩＭＯシステムは、時分割双方向（ＴＤＤ）および周波数分割双方向（ＦＤＤ）をサポートしうる。ＴＤＤシステムにおいて、順方向および逆方向リンク送信は、相反原理により、逆方向リンクチャネルから順方向リンクチャネルを推定できるように、同一の周波数領域上である。これによって、アクセスポイントは、複数のアンテナがアクセスポイントで利用可能な場合に、順方向リンク上で送信ビームフォーミング利得を抽出することができる。
【０１２４】
図１２は、例示的なＭＩＭＯシステム１２００の無線デバイス１２１０（例えば、アクセスポイント）および無線デバイス１２５０（例えば、アクセス端末）を示す。デバイス１２１０では、多数のデータストリームのトラフィックデータが、データソース１２１２から送信（ＴＸ）データプロセッサ１２１４に提供されうる。次に、各データストリームは、それぞれの送信アンテナを通して送信されうる。
【０１２５】
ＴＸデータプロセッサ１２１４は、各データストリームのトラフィックデータを、そのデータストリームに対して選択された特定の符号化スキームに基づいて、フォーマット、符号化、インターリーブし、符号化データを提供しうる。各データストリームの符号化データは、ＯＦＤＭ技術を使用して、パイロットデータと共に多重化されうる。パイロットデータは、典型的に、既知の方法で処理されうる既知のデータパターンであり、チャネル応答を推定するために受信機システムで使用されうる。次に、各データストリームの多重化されたパイロットと符号化データは、そのデータストリームに対して選択された特定の変調スキーム（例えば、ＢＰＳＫ、ＱＳＰＫ、Ｍ−ＰＳＫ、Ｍ−ＱＡＭなど）に基づいて、変調（すなわち、シンボルマッピング）され、変調シンボルを提供しうる。各データストリームのデータレート、符号化、および変調は、プロセッサ１２３０によって行なわれる命令によって決定されうる。データメモリ１２３２は、プログラムコード、データ、および、プロセッサ１２３０、または、デバイス１２１０の別のコンポーネントによって使用される別の情報を記憶しうる。
【０１２６】
次に、全てのデータストリームの変調シンボルは、変調シンボルをさらに処理しうる（例えば、ＯＦＤＭの場合）ＴＸ ＭＩＭＯプロセッサ１２２０に提供されうる。次に、ＴＸ ＭＩＭＯプロセッサ１２２０は、ＮＴ個の変調シンボルストリームをＮＴ個のトランシーバ（ＸＣＶＲ）１２２２Ａ〜１２２２Ｔに提供しうる。いくつかの態様において、ＴＸ ＭＩＭＯプロセッサ１２２０は、ビームフォーミング重みを、データストリームのシンボルと、シンボルを送信しているアンテナとに適用する。
【０１２７】
各トランシーバ１２２２は、それぞれのシンボルストリームを受信および処理して、１または複数のアナログ信号を提供し、そのアナログ信号をさらに調整（例えば、増幅、フィルタリング、アップコンバート）して、ＭＩＭＯチャネルを通る送信に適した変調信号を提供しうる。次に、トランシーバ１２２２Ａ〜１２２２ＴからのＮＴ個の変調信号は、それぞれ、ＮＴ個のアンテナ１２２４Ａ〜１２２４Ｔから送信される。
【０１２８】
デバイス１２５０において、送信された変調信号は、ＮＲ個のアンテナ１２５２Ａ〜１２５２Ｒによって受信され、各アンテナ１２５２からの受信信号は、それぞれのトランシーバ（ＸＣＶＲ）１２５４Ａ〜１２５２Ｒに提供される。各トランシーバ１２５４は、それぞれの受信信号を調整（例えば、フィルタリング、増幅、ダウンコンバート）し、その調整信号をデジタル化して、サンプルを提供し、そのサンプルをさらに処理して、対応する「受信」シンボルストリームを提供する。
【０１２９】
次に、受信（ＲＸ）データプロセッサ１２６０は、特定の受信機処理技術に基づいて、ＮＲ個のトランシーバ１２５４からのＮＲ個の受信シンボルストリームを受信および処理して、ＮＴ個の「検出された」シンボルストリームを提供する。次に、ＲＸデータプロセッサ１２６０は、検出されたシンボルストリームの各々を復調、デインターリーブ、復号して、データストリームのトラフィックデータを回復する。ＲＸデータプロセッサ１２６０による処理は、典型的に、デバイス１２１０のＴＸ ＭＩＭＯプロセッサ１２２０およびＴＸデータプロセッサ１２１４によって行なわれる処理に対して相補的である。
【０１３０】
プロセッサ１２７０は、使用するプリコーディング行列を周期的に決定しうる（下に記述されるように）。次に、プロセッサ１２７０は、行列インデックス部とランク値部とを含みうる逆方向リンクメッセージを公式化しうる。データメモリ１２７２は、プログラムコード、データ、および、プロセッサ１２７０、または、デバイス１２５０の別のコンポーネントによって使用される別の情報を記憶しうる。
【０１３１】
逆方向リンクメッセージは、通信リンクおよび／または受信されたデータストリームに関する様々なタイプの情報を備えうる。次に、逆方向リンクメッセージは、データソース１２３６から多数のデータストリームのトラフィックデータを受信するＴＸデータプロセッサ１２３８によって処理され、変調器１２８０によって変調され、トランシーバ１２５４Ａ〜１２５４Ｒによって調整され、デバイス１２１０に送り戻されうる。
【０１３２】
デバイス１２１０において、デバイス１２５０からの変調信号は、アンテナ１２２４によって受信され、トランシーバ１２２２によって調整され、復調器（ＤＥＭＯＤ）１２４０によって復調され、ＲＸデータプロセッサ１２４２によって処理され、デバイス１２５０によって送信された逆方向リンクメッセージを抽出しうる。次に、プロセッサ１２３０は、ビームフォーミング重みを決定するためにどのプリコーディング行列を使用するか決定し、次に、抽出されたメッセージを処理する。
【０１３３】
図１２は、さらに、通信コンポーネントが、本明細書に教示されるようなパラメータ（ＰＡＲＡＭ）制御動作を行う１または複数のコンポーネントを含みうることを示す。例えば、パラメータ制御コンポーネント１２９０は、本明細書において教示されたように、別のデバイス（例えば、デバイス１２５０）へ／からパラメータ関連情報を送信／受信するために、プロセッサ１２３０、および／または、デバイス１２１０の別のコンポーントと協調しうる。同様に、パネラメータ制御コンポーネント１２９２は、別のデバイス（例えば、デバイス１２１０）へ／からパラメータ関連情報を送信／受信するために、プロセッサ１２７０、および／または、デバイス１２５０の別のコンポーネントと協調しうる。各デバイス１２１０および１２５０について、２またはそれよりも多くの記述されたコンポーネントの機能性が、単一のコンポーネントによって提供されうることは認識されるべきである。例えば、単一の処理コンポーネントは、パラメータ制御コンポーネント１２９０およびプロセッサ１２３０の機能性を提供し、単一の処理コンポーネントは、パラメータ制御コンポーネント１２９２およびプロセッサ１２７０の機能性を提供しうる。
【０１３４】
本明細書の教示は、様々なタイプの通信システムおよび／またはシステムコンポーネントに組み込まれうる。いくつかの態様において、本明細書の教示は、利用可能なシステムリソースを共有することによって（例えば、帯域幅、送信電力、符号化、インターリーブ化などのうちの１または複数を特定することによって）、複数のユーザとの通信をサポートすることができる多元接続システムで用いられうる。例えば、本明細書の教示は、次の技術うちの任意の１または組み合わせに適用されうる：符号分割多元接続（ＣＤＭＡ）システム、マルチキャリアＣＤＭＡ（ＭＣＣＤＭＡ）、広帯域ＣＤＭＡ（Ｗ−ＣＤＭＡ）、高速パケット接続（ＨＳＰＡ、ＨＳＰＡ＋）システム、時分割多元接続（ＴＤＭＡ）システム、周波数分割多元接続（ＦＤＭＡ）システム、単一キャリアＦＤＭＡ（ＳＣ−ＦＤＭＡ）システム、直行周波数分割多元接続（ＯＦＤＭＡ）システム、または、別の多元接続技術。本明細書の教示を用いる無線通信システムは、ＩＳ−９５、ｃｄｍａ２０００、ＩＳ−８５６、Ｗ−ＣＤＭＡ、ＴＤＳＣＤＭＡ、および別の標準のような１または複数の標準を実現するように設計されうる。ＣＤＭＡネットワークは、ＵＴＲＡ（Universal Terrestrial Radio Access）、ｃｄｍａ２０００、またはある別のテクノロジなどの無線テクノロジを実現しうる。ＵＴＲＡは、Ｗ−ＣＤＭＡおよび低チップレート（ＬＣＲ）を含む。Ｃｄｍａ２０００テクノロジは、ＩＳ−２０００、ＩＳ−９５、およびＩＳ−８５６標準をカバーする。ＴＤＭＡネットワークは、ＧＳＭ（登録商標）（Global System for Mobile Communications）などの無線テクノロジを実現しうる。ＯＦＤＭＡネットワークは、次世代ＵＴＲＡ（Ｅ−ＵＴＲＡ）、ＩＥＥＥ ８０２.１１、ＩＥＥＥ ８０２.１６、ＩＥＥＥ ８０２.２０、フラッシュＯＦＤＭ（登録商標）などの無線テクノロジを実現しうる。ＵＴＲＡ、Ｅ−ＵＴＲＡ、ＧＳＭは、ＵＭＴＳ（Universal Mobile Telecommunication System）の一部である。本明細書の教示は、３ＧＰＰロングタームエボリューション（ＬＴＥ）システム、ＵＭＢ（Ultra-Mobile Broadband）システム、および、別のタイプのシステムで実現されうる。ＬＴＥは、Ｅ−ＵＴＲＡを使用するＵＭＴＳのリリースである。ＵＴＡＲ、Ｅ−ＵＴＲＡ、ＧＳＭ、ＵＭＴＳ、ＬＴＥは、「第３世代パートナーシッププロジェクト（３ＧＰＰ）」という名称の団体から提供される文書に記述されており、ｃｄｍａ２０００は、「第３世代パートナーシッププロジェクト２（３ＧＰＰ２）」という名称の団体からの文書に記述されている。本開示の特定の態様は、３ＧＰＰの用語を使用して記述されるが、本明細書の教示が、３ＧＰＰ（例えば、Ｒｅ１９９、Ｒｅ１５、Ｒｅ１６、Ｒｅ１７）テクノロジ、並びに、３ＧＰＰ２（例えば、１ｘＲＴＴ、１ｘＥＶ−ＤＯ Ｒｅｌ０、ＲｅｖＡ、ＲｅｖＢ）テクノロジ、および別のテクノロジに適用されることは理解されるべきである。
【０１３５】
本明細書の教示は、様々な装置（例えば、ノード）に組み込まれうる（例えば、それ内で実施されうるか、あるいは、それによって実行されうる）。いくつかの態様において、本明細書の教示に従って実現されるノード（例えば、無線ノード）は、アクセスポイントまたはアクセス端末を備えうる。
【０１３６】
例えば、アクセス端末は、ユーザ機器、加入者局、加入者ユニット、モバイル局、モバイル、モバイルノード、リモート局、リモート端末、ユーザ端末、ユーザエージェント、ユーザデバイス、または、ある別の用語を備えるか、それとして実現されるか、あるいは、それとして知られている。いくつかのインプリメンテーションにおいて、アクセス端末は、セルラ電話、コードレス電話、セッション開始プロトコル（ＳＩＰ）電話、無線ローカルループ（ＷＬＬ）局、携帯情報端末（ＰＤＡ）、無線接続性能を有するハンドヘルドデバイス、あるいは、無線モデムに接続されたある別の適切な処理デバイスを備えうる。従って、本明細書で教示される１または複数の態様は、電話（例えば、セルラ電話またはスマートホン）、コンピュータ（例えば、ラップトップ）、ポータブル通信デバイス、ポータブル計算デバイス（例えば、パーソナルデータアシスタンス）、エンターテイメントデバイス（例えば、ミュージックデバイス、ビデオデバイス、または、衛星ラジオ）、全地球測位システムデバイス、あるいは、無線媒体を介して通信するように構成された任意の別の適切なデバイスに組み込まれうる。
【０１３７】
アクセスポイントは、ノードＢ、発展型ノードＢ、無線ネットワークコントローラ（ＲＮＣ）、基地局（ＢＳ）、無線基地局（ＲＢＳ）、基地局コントローラ（ＢＳＣ）、トランシーバ基地局（ＢＴＳ）、トランシーバ機能（ＴＦ）、無線トランシーバ、無線ルータ、基本サービスセット（ＢＳＳ）、拡張サービスセット（ＥＳＳ）、マイクロセル、マイクロノード、ホーム発展型ノードＢ（ＨｅＮＢ）、フェムトセル、フェムトノード、ピコノード、または、ある別の類似した用語を備えるか、それとして実現されるか、あるいは、それとして知られている。
【０１３８】
いくつかの態様において、ノード（例えば、アクセスポイント）は、通信システムのためのアクセスノードを備えうる。そのようなアクセスノードは、例えば、ネットワーク（例えば、インターネットまたはセルラネットワークのような広域ネットワーク）のための接続性、または、ネットワークへの接続性を、このネットワークへの有線または無線通信リンクを介して提供しうる。従って、アクセスノードは、別のノード（例えば、アクセス端末）が、ネットワーク、または、ある別の機能性にアクセスすることを可能にしうる。加えて、ノードのうちの一方または両方は、ポータブルでありうるか、いくつかの場合では、比較的ポータブルではない可能性があることは認識されるべきである。
【０１３９】
同様に、無線ノードが、無線以外の方法で（例えば、有線接続を介して）情報を送信および／または受信する能力を有しうることは認識されるべきである。このように、本明細書に記述されるような受信機および送信機は、無線以外の媒体を介して通信するために、適切な通信インターフェースコンポーネント（例えば、電気的または光学的なインターフェースコンポーネント）を含みうる。
【０１４０】
無線ノードは、任意の適切な無線通信テクノロジに基づくか、そうでなければ、それをサポートしうる１または複数の無線通信リンクを介して通信しうる。例えば、いくつかの態様において、無線ノードは、ネッワークと関連付けられうる。いくつかの態様において、ネットワークは、ローカルエリアネットワークまたは広域ネットワークを備えうる。無線デバイスは、本明細書に記述されるもの（例えば、ＣＤＭＡ、ＴＤＭＡ、ＯＦＤＭ、ＯＦＤＭＡ、ＷｉＭＡＸ、Ｗｉ−Ｆｉなど）のような様々な無線通信テクノロジ、プロトコル、または標準のうちの１または複数をサポートするか、そうでなければ、それを使用しうる。同様に、無線ノードは、１または複数の様々な対応する変調または多重化スキームをサポートするか、そうでなければ、それを使用しうる。このように、無線ノードは、上の、または、別の無線通信テクノロジを使用して１または複数の無線通信リンクを確立し、それを介して通信するために、適切なコンポーネント（例えば、エアインターフェース）を含みうる。例えば、無線ノードは、無線媒体を通る通信を容易にする様々なコンポーネント（例えば、信号生成器および信号プロセッサ）を含みうる関連送信機および受信機コンポーネントを有する無線トランシーバを備えうる。
【０１４１】
本明細書に記述される機能性（添付の図面のうちの１または複数に関する）は、いくつかの態様において、添付の特許請求の範囲における、同様に指定された機能性「のための手段（means for）」に対応しうる。図１３〜１６を参照すると、装置１３００、１４００、１５００、１６００は、一連の相関性のある機能モジュールとして表される。ここで、第１のアクセスポイントからの信号の品質を決定するためのモジュール１３０２は、少なくともいくつかの態様において、例えば、本明細書で論述されたようなパラメータコントローラに対応しうる。セル再選択パラメータを決定するためのモジュール１３０４は、少なくともいくつかの態様において、例えば、本明細書で論述されたようなパラメータコントローラに対応しうる。決定されたセル再選択パラメータを送信するためのモジュール１３０６は、少なくともいくつかの態様において、例えば、本明細書で論述されたような送信機に対応しうる。第２のアクセスポイントからの信号の品質を決定するためのモジュール１３０８は、少なくともいくつかの態様において、例えば、本明細書で論述されたようなパラメータコントローラに対応しうる。第１のアクセスポイントと第２のアクセスポイントとの近接度を決定するためのモジュール１４０２は、少なくともいくつかの態様において、例えば、本明細書で論述されたようなパラメータコントローラに対応しうる。セル再選択パラメータを決定するためのモジュール１４０４は、少なくともいくつかの態様において、例えば、本明細書で論述されたようなパラメータコントローラに対応しうる。決定されたセル再選択パラメータを送信するためのモジュール１４０６は、少なくともいくつかの態様において、例えば、本明細書で論述されたような送信機に対応しうる。第１のアクセスポイントからの信号の品質を決定するためのモジュール１５０２は、少なくともいくつかの態様において、例えば、本明細書で論述されたようなパラメータコントローラに対応しうる。ハンドオーバパラメータを決定するためのモジュール１５０４は、少なくともいくつかの態様において、例えば、本明細書で論述されたようなパラメータコントローラに対応しうる。決定されたハンドオーバパラメータを送信するためのモジュール１５０６は、少なくともいくつかの態様において、例えば、本明細書で論述されたような送信機に対応しうる。第２のアクセスポイントからの信号の品質を決定するためのモジュール１５０８は、少なくともいくつかの態様において、例えば、本明細書で論述されたようなパラメータコントローラに対応しうる。第１のアクセスポイントと第２のアクセスポイントとの近接度を決定するためのモジュール１６０２は、少なくともいくつかの態様において、例えば、本明細書で論述されたようなパラメータコントローラに対応しうる。ハンドオーバパラメータを決定するためのモジュール１６０４は、少なくともいくつかの態様において、例えば、本明細書で論述されたようなパラメータコントローラに対応しうる。決定されたハンドオーバパラメータを送信するためのモジュール１６０６は、少なくともいくつかの態様において、例えば、本明細書で論述されたような送信機に対応しうる。
【０１４２】
図１３〜１６のモジュールの機能性は、本明細書の教示と一致する様々な方法で実現されうる。いくつかの態様において、これらのモジュールの機能性は、１または複数の電子コンポーネントとして実現されうる。いくつかの態様において、これらのブロックの機能性は、１または複数のプロセッサコンポーネントを含む処理システムとして実現されうる。いくつかの態様において、これらのモジュールの機能性は、例えば、１または複数の集積回路（例えば、ＡＳＩＣ）の少なくとも一部を使用して実現されうる。本明細書で論述されたように、集積回路は、プロセッサ、ソフトウェア、別の関連コンポーネント、あるいは、それらのある組み合わせを含みうる。これらのモジュールの機能性は、本明細書で教示されるように、ある別の方法で実現されうる。いくつかの態様において、図１３〜１６の任意の点線で描かれたブロックのうちの１または複数は、オプションである。
【０１４３】
「第１の」、「第２の」などの指定を使用する本明細書のエレメントへの任意の参照が、一般的に、これらのエレメントの量または順序を制限しないことは理解されるべきである。むしろ、これらの指定は、本明細書において、２つ以上のエレメント、または、１つのエレメントの複数のインスタンスを区別する便利な方法として使用されうる。このように、第１および第２のエレメントへの参照は、２つのエレメントしか使用されないこと、または、第１のエレメントがある方法で第２のエレメントに先行しなければならないことを意味しない。さらに、別途明記されていない限り、エレメントのセットは、１または複数のエレメントを備えうる。加えて、発明が実施される形態または特許請求の範囲で使用される「Ａ、Ｂ、またはＣのうちの少なくとも１つ」という形の表現は、「ＡまたはＢまたはＣ、あるいは、これらのエレメントの任意の組み合わせ」を意味する。
【０１４４】
当業者は、情報と信号が、任意の多様で異なるテクノロジと技術を用いて表されることを理解するであろう。例えば、上記全体を通して参照されるデータ、命令、コマンド、情報、信号、ビット、シンボル、およびチップは、電圧、電流、電磁波、磁場または粒子、光電場または光粒子、または、これらのあらゆる組み合わせによって表されうる。
【０１４５】
当業者はさらに、本明細書に開示された態様と関連して記述されている様々な実例となる論理ブロック、モジュール、プロセッサ、手段、回路、アルゴリズムステップはいずれも、電子ハードウェア（例えば、ソース符号化またはある別の技術を使用して設計されうるデジタルインプリメンテーション、アナログインプリメンテーション、または、２つの組み合わせ）、命令を組み込む様々な形態のプログラムまたは設計コード（便宜上、本明細書において、「ソフトウェア」または「ソフトウェアモジュール」と呼ばれる）、あるいは、両方の組み合わせとして実現されうることを認識するであろう。このハードウェアとソフトウェアの互換性を明確に示すために、様々な実例となるコンポーネント、ブロック、モジュール、回路、ステップが、それらの機能性という観点から一般的に上に記述されている。ハードウェア、または、ソフトウェアとしてそのような機能性が実現されるか否かは、特定のアプリケーションとシステム全体に課された設計制約とに依存する。当業者は各特定アプリケーションについて様々な方法で上記機能性を実現することができるが、このような実施の決定は本発明の範囲からの逸脱の原因になるとして解釈されるべきではない。
【０１４６】
本明細書に開示された態様と関連して記述される様々な実例となる論理ブロック、モジュール、回路は、集積回路（ＩＣ）、アクセス端末、アクセスポイントと共に実現または実行されうる。ＩＣは、汎用プロセッサ、デジタル信号プロセッサ（ＤＳＰ）、特定用途向け集積回路（ＡＳＩＣ）、書替え可能ゲートアレイ（ＦＰＧＡ）または他のプログラマブル論理デバイス、ディスクリートゲートまたはトランジスタ論理、ディスクリートハードウェアコンポーネント、電子コンポーネント、光コンポーネント、機械コンポーネント、あるいは、本明細書に記述された機能を実行するよう設計されたこれらの任意の組み合わせを備え、ＩＣ内、ＩＣの外、または両方に存在するコードまたは命令を実行しうる。汎用プロセッサはマイクロプロセッサであるが、代替で、プロセッサは任意の従来のプロセッサ、コントローラ、マイクロコントローラ、またはステートマシンでありうる。プロセッサは、さらに、例えば、ＤＳＰとマクロプロセッサ、複数のマイクロプロセッサ、ＤＳＰコアに結合した１または複数のマイクロプロセッサ、その他の上記構成の組み合わせといった計算デバイスの組み合わせとしても実現されうる。
【０１４７】
任意の開示されるプロセスにおけるステップのあらゆる特定の順序または段階が例示的なアプローチの例であることが理解される。設計の選好（design preference）に基づいて、プロセスにおけるステップの特定の順序または階層が、本開示の範囲を逸脱することなく再配列されうることが理解される。添付の方法請求項は様々なステップのエレメントを簡単な順序で提示し、かつ、提示される特定の順序または階層に限定されることを意味しない。
【０１４８】
１または複数の例示的な実施形態において、記述される機能は、ハードウェア、ソフトウェア、ファームウェア、またはそれらの任意の組み合わせに実現されうる。ソフトウェアに実現された場合、その機能は、コンピュータ可読媒体上の１または複数の命令またはコードとして記憶または送信される。コンピュータ可読媒体は、コンピュータ記憶媒体と、ある箇所から別の箇所へのコンピュータプログラム移送を容易にする任意の媒体を含む通信媒体との両方を含む。記憶媒体はコンピュータによりアクセスされることができる任意の利用可能な媒体である。それに制限されない例として、そのようなコンピュータ可読媒体は、ＲＡＭ、ＲＯＭ、ＥＥＰＲＯＭ、ＣＤ−ＲＯＭまたは他の光学ディスク記憶装置、磁気ディスク記憶装置または他の磁気記憶デバイス、あるいは、コンピュータによってアクセスされることができ、命令やデータ構造形で所望のプログラムコードを搬送または記憶するために使用される任意の別媒体を備えうる。さらに、任意の接続は適切にコンピュータ可読媒体と呼ばれる。例えば、同軸ケーブル、光ファイバーケーブル、撚線対、デジタル加入者回線（ＤＳＬ）、または赤外線、無線、マイクロ波などの無線テクノロジを使用してウェブサイト、サーバ、または他のリモートソースからソフトウェアが送信されると、この同軸ケーブル、光ファイバーケーブル、撚線対、ＤＳＬ、または赤外線、無線、マイクロ派などの無線テクノロジは媒体の定義に含まれる。ディスク（ｄｉｓｋ）とディスク（ｄｉｓｃ）は、本明細書で使用される場合、コンパクトディスク（ＣＤ）、レーザディスク、光ディスク、デジタル多用途ディスク（ＤＶＤ）、フロッピー（登録商標）ディスク、ブルーレイ（登録商標）ディスクを含む。ディスク（ｄｉｓｋ）は通常磁気作用によってデータを再生し、ディスク（ｄｉｓｃ）はレーザで光学的にデータを再生する。上記の組み合わせもコンピュータ可読媒体の範囲内に含まれるべきである。コンピュータ可読媒体が、任意の適切なコンピュータプログラムプロダクトにおいて実現されうることが認識されるべきである。
【０１４９】
開示された態様の以上の記述は、当業者が本開示を実施および使用することを可能にするために提供される。これらの態様に対する様々な変更は当業者には容易に明らかであり、本明細書において定義された包括的な原理は、本発明の精神または範囲を逸脱することなく他の態様に適用可能である。従って、本開示は本明細書に記載の態様に制限されるものではなく、本明細書で開示される原理および新規な特徴と合致する最も広い範囲が与えられるべきである。
以下に本願発明の当初の特許請求の範囲に記載された発明を付記する。
［Ｃ１］
通信の方法であって、
第２のアクセスポイントにおいて第１のアクセスポイントからの信号の品質を決定することと、
前記決定された信号品質に基づいてハンドオーバパラメータを決定することと、
前記第２のアクセスポイントから前記決定されたハンドオーバパラメータを送信することと、
を備える方法。
［Ｃ２］
前記ハンドオーバパラメータの決定は、
前記第２のアクセスポイントが前記第１のアクセスポイントの近くに存在することを前記決定された信号品質が示す場合、前記ハンドオーバパラメータを第１の値に設定すること、または
前記第２のアクセスポイントが前記第１のアクセスポイントのセルエッジの近くに存在することを前記決定された信号品質が示す場合、前記ハンドオーバパラメータを第２の値に設定すること
を備える、Ｃ１に記載の方法。
［Ｃ３］
前記第１の値は、前記第２のアクセスポイントによってサービス提供されるアクセス端末が前記第１のアクセスポイントに早期ハンドオーバされる可能性の減少させるように定義され、
前記第２の値は、前記第２のアクセスポイントによってサービス提供されるアクセス端末が、前記アクセス端末が前記第１のアクセスポイントにハンドオーバされるのではなく、前記第２のアクセスポイントに留まることによる機能停止を経験する可能性を減少させるように定義される
Ｃ２に記載の方法。
［Ｃ４］
前記第２のアクセスポイントが前記第１のアクセスポイントの近くに存在することを前記決定された信号品質が示す場合、前記ハンドオーバパラメータの決定は、
前記第２のアクセスポイントによってサービス提供されるアクセス端末が前記第１のアクセスポイントにハンドオーバされるであろう可能性を減らすように、許容ハンドオーバパラメータ値のセットのうちの１つの値を選択することと、
前記ハンドオーバパラメータを前記選択された値に設定することと
を備える、Ｃ１に記載の方法。
［Ｃ５］
前記２のアクセスポイントが前記第１のアクセスポイントのセルエッジの近くに存在することを前記決定された信号品質が示す場合、前記ハンドオーバパラメータの決定は、
前記第２のアクセスポイントによってサービス提供されるアクセス端末が前記第１のアクセスポイントにハンドオーバされるであろう可能性を高めように、許容ハンドオーバパラメータ値のセットのうちの１つの値を選択することと、
前記ハンドオーバパラメータを前記選択された値に設定することと
を備える、Ｃ１に記載の方法。
［Ｃ６］
前記第２のアクセスポイントからの信号の品質を決定することをさらに備え、前記ハンドオーバパラメータの決定は、前記第２のアクセスポイントからの信号の前記決定された信号品質にさらに基づく、Ｃ１に記載の方法。
［Ｃ７］
前記ハンドオーバパラメータは、ヒステリシスパラメータを備える、Ｃ１に記載の方法。
［Ｃ８］
前記ハンドオーバパラメータの決定は、前記ヒステリシスパラメータを前記決定された信号品質の関数として計算することを備える、Ｃ７に記載の方法。
［Ｃ９］
前記ハンドオーバパラメータの決定は、
前記決定された信号品質を閾値と比較することと、
前記決定された信号品質が前記閾値以上である場合に、前記ヒステリシスパラメータを、セルサイトに対して特定された値に設定することと
を備える、Ｃ７に記載の方法。
［Ｃ１０］
前記ハンドオーバパラメータの決定は、
前記決定された信号品質を閾値と比較することと、
前記決定された信号品質が前記閾値以下である場合に、前記ヒステリシスパラメータを、セルエッジに対して特定された値に設定することと
を備える、Ｃ７に記載の方法。
［Ｃ１１］
前記ハンドオーバパラメータは、セル個別オフセットパラメータ、または、タイム・ツー・トリガパラメータを備える、Ｃ１に記載の方法。
［Ｃ１２］
前記信号品質の決定は、前記第２のアクセスポイントにおいて前記信号のＥｃｐ／Ｉ０を決定することを備える、Ｃ１に記載の方法。
［Ｃ１３］
前記信号品質の決定は、前記第２のアクセスポイントにおいて前記信号の受信信号コード電力を決定することを備える、Ｃ１に記載の方法。
［Ｃ１４］
前記信号品質の決定は、前記第１のアクセスポイントから前記第２のアクセスポイントへの経路損失を推定することを備える、Ｃ１に記載の方法。
［Ｃ１５］
前記信号品質の決定は、
前記第１のアクセスポイントから前記信号を受信することと、
前記受信信号に基づいて信号品質パラメータを決定することと
を備える、Ｃ１に記載の方法。
［Ｃ１６］
前記信号品質の決定は、前記信号品質のインジケーションを受信することを備える、Ｃ１に記載の方法。
［Ｃ１７］
前記第１のアクセスポイントはマクロ基地局を備え、
前記第２のアクセスポイントはフェムトセルを備える
Ｃ１に記載の方法。
［Ｃ１８］
通信のための装置であって、
前記装置においてアクセスポイントからの信号の品質を決定するように動作可能であり、さらに、前記決定された信号品質に基づいてハンドオーバパラメータを決定するように動作可能なコントローラと、
前記装置から前記決定されたハンドオーバパラメータを送信するように動作可能な送信機と
を備える装置。
［Ｃ１９］
前記ハンドオーバパラメータの決定は、
前記第２のアクセスポイントが前記第１のアクセスポイントの近くに存在することを前記決定された信号品質が示す場合に、前記ハンドオーバパラメータを第１の値に設定すること、または
前記第２のアクセスポイントが前記第１のアクセスポイントのセルエッジの近くに存在することを前記決定された信号品質が示す場合に、前記ハンドオーバパラメータを第２の値に設定することと
を備える、Ｃ１８に記載の装置。
［Ｃ２０］
前記第１の値は、前記第２のアクセスポイントによってサービス提供されるアクセス端末が前記第１のアクセスポイントに早期ハンドオーバされる可能性を減少させるように定義され、
前記第２の値は、前記第２のアクセスポイントによってサービス提供されるアクセス端末が、前記アクセス端末が前記第１のアクセスポイントにハンドオーバされるのではなく前記第２のアクセスポイントに留まることによる機能停止を経験する可能性を減少させるように定義される
Ｃ１９に記載の装置。
［Ｃ２１］
前記コントローラは、さらに、前記第２のアクセスポイントからの信号の品質を決定するように動作可能であり、
前記ハンドオーバパラメータの決定は、さらに、前記第２のアクセスポイントからの信号の前記決定された信号品質に基づく
Ｃ１８に記載の装置。
［Ｃ２２］
前記ハンドオーバパラメータは、ヒステリシスパラメータを備える、Ｃ１８に記載の装置。
［Ｃ２３］
前記ハンドオーバパラメータは、セル個別オフセットパラメータ、または、タイム・ツー・トリガパラメータを備える、Ｃ１８に記載の装置。
［Ｃ２４］
通信のための装置であって、
前記装置においてアクセスポイントからの信号の品質を決定するための手段と、
前記決定された信号品質に基づいてハンドオーバパラメータを決定するための手段と、
前記装置から前記決定されたハンドオーバパラメータを送信するための手段と
を備える装置。
［Ｃ２５］
前記ハンドオーバパラメータの決定は、
前記第２のアクセスポイントが前記第１のアクセスポイントの近くに存在することを前記決定された信号品質が示す場合に、前記ハンドオーバパラメータを第１の値に設定すること、または
前記第２のアクセスポイントが前記第１のアクセスポイントのセルエッジの近くに存在すること前記決定された信号品質が示す場合に、前記ハンドオーバパラメータを第２の値に設定すること
を備える、Ｃ２４に記載の装置。
［Ｃ２６］
前記第１の値は、前記第２のアクセスポイントによってサービス提供されるアクセス端末が前記第１のアクセスポイントに早期ハンドオーバされる可能性を減少させるように定義され、
前記第２の値は、前記第２のアクセスポイントによってサービス提供されるアクセス端末が、前記アクセス端末が前記第１のアクセスポイントにハンドオーバされるのではなく前記第２のアクセスポイントに留まることによる機能停止を経験する可能性を減少させるように定義される
Ｃ２５に記載の装置。
［Ｃ２７］
前記第２のアクセスポイントからの信号の品質を決定するための手段をさらに備え、前記ハンドオーバパラメータの決定は、さらに、前記第２のアクセスポイントからの信号の前記決定された信号品質に基づく、Ｃ２４に記載の装置。
［Ｃ２８］
前記ハンドオーバパラメータは、ヒステリシスパラメータを備える、Ｃ２４に記載の装置。
［Ｃ２９］
前記ハンドオーバパラメータは、セル個別オフセットパラメータ、または、タイム・ツー・トリガパラメータを備える、Ｃ２４に記載の装置。
［Ｃ３０］
コンピュータ可読媒体を備えるコンピュータプログラムプロダクトであって、前記コンピュータ可読媒体は、コンピュータに対して、
第２のアクセスポイントにおいて第１のアクセスポイントからの信号の品質を決定させ、
前記決定された信号品質に基づいてハンドオーバパラメータを決定させ、
前記第２のアクセスポイントから前記決定されたハンドオーバパラメータを送信させる
ためのコードを備える、コンピュータプログラムプロダクト。
［Ｃ３１］
前記ハンドオーバパラメータの決定は、
前記第２のアクセスポイントが前記第１のアクセスポイントの近くに存在することを前記決定された信号品質が示す場合に、前記ハンドオーバパラメータを第１の値に設定することと、
前記第２のアクセスポイントが前記第１のアクセスポイントのセルエッジの近くに存在することを前記決定された信号品質が示す場合に、前記ハンドオーバパラメータを第２の値に設定することと
を備える、Ｃ３０に記載のコンピュータプログラムプロダクト。
［Ｃ３２］
前記第１の値は、前記第２のアクセスポイントによってサービス提供されるアクセス端末が前記第１のアクセスポイントに早期ハンドオーバされる可能性を減少させるように定義され、
前記第２の値は、前記第２のアクセスポイントによってサービス提供されるアクセス端末が、前記アクセス端末が前記第１のアクセスポイントにハンドオーバされるのではなく前記第２のアクセスポイントに留まるによる機能停止を経験する可能性を減少させるように定義される
Ｃ３１に記載のコンピュータプログラムプロダクト。
［Ｃ３３］
前記コンピュータ可読媒体は、さらに、前記コンピュータに対して、前記第２のアクセスポイントからの信号の品質を決定させるためのコードを備え、
前記ハンドオーバパラメータの決定は、さらに、前記第２のアクセスポイントからの信号の前記決定された信号品質に基づく、
Ｃ３０に記載のコンピュータプログラムプロダクト。
［Ｃ３４］
前記ハンドオーバパラメータは、ヒステリシスパラメータを備える、Ｃ３０に記載のコンピュータプログラムプロダクト。
［Ｃ３５］
前記ハンドオーバパラメータは、セル個別オフセッパラメータ、または、タイム・ツー・トリガパラメータを備える、Ｃ３０に記載のコンピュータプログラムプロダクト。
［Ｃ３６］
通信の方法であって、
第１のアクセスポイントと第２のアクセスポイントとの近接度を決定することと、
前記決定された近接度に基づいてハンドオーバパラメータを決定することと、
前記第１のアクセスポイントから前記決定されたハンドオーバパラメータを送信することと
を備える方法。
［Ｃ３７］
前記ハンドオーバパラメータの決定は、
前記第１のアクセスポイントが前記第２のアクセスポイントの近くに存在することを前記決定された近接度が示す場合、前記ハンドオーバパラメータを第１の値に設定すること、または
前記第１のアクセスポイントが前記第２のアクセスポイントのセルエッジの近くに存在することを前記決定された近接度が示す場合、前記ハンドオーバパラメータを第２の値に設定すること
を備える、Ｃ３６に記載の方法。
［Ｃ３８］
前記第１の値は、前記第１のアクセスポイントによってサービス提供されるアクセス端末が前記第２のアクセスポイントに早期ハンドオーバされる可能性を減少させるように定義され、
前記第２の値は、前記第１のアクセスポイントによってサービス提供されるアクセス端末が、前記アクセス端末が前記第２のアクセスポイントにハンドオーバされるのではなく前記第１のアクセスポイントに留まることによる機能停止を経験する可能性を減少させるように定義される
Ｃ３７に記載の方法。
［Ｃ３９］
前記第１のアクセスポイントが前記第２のアクセスポイントの近くに存在することを前記決定された近接度が示す場合、前記ハンドオーバパラメータの決定は、
前記第１のアクセスポイントによってサービス提供されるアクセス端末が前記第２のアクセスポイントにハンドオーバされるであろう可能性を減らす許容ハンドオーバパラメータ値のセットのうちの１つの値を選択することと、
前記ハンドオーバパラメータを前記選択された値に設定することと
を備える、Ｃ３６に記載の方法。
［Ｃ４０］
前記第１のアクセスポイントが前記第２のアクセスポイントのセルエッジの近くに存在することを前記決定された近接度が示す場合、前記ハンドオーバパラメータの決定は、
前記第１のアクセスポイントによってサービス提供されるアクセス端末が前記第２のアクセスポイントにハンドオーバされるであろう可能性を高める許容ハンドオーバパラメータ値のセットのうちから１つの値を選択することと、
前記ハンドオーバパラメータを前記選択された値に設定することと
を備える、Ｃ３６に記載の方法。
［Ｃ４１］
前記ハンドオーバパラメータは、ヒステリシスパラメータを備える、Ｃ３６に記載の方法。
［Ｃ４２］
前記ハンドオーバパラメータの決定は、前記第１のアクセスポイントが前記第２のアクセスポイントの近くに存在することを前記決定された近接度が示す場合、セルサイトに対して特定された値に前記ヒステリシスパラメータを設定することを備える、Ｃ４１に記載の方法。
［Ｃ４３］
前記ハンドオーバパラメータの決定は、前記第１のアクセスポイントが前記第２のアクセスポイントのセルエッジの近くに存在することを前記決定された近接度が示す場合、セルエッジに対して特定された値に前記ヒステリシスパラメータを設定することを備える、Ｃ４１に記載の方法。
［Ｃ４４］
前記ハンドオーバパラメータは、セル個別オフセッパラメータ、または、タイム・ツー・トリガパラメータを備える、Ｃ３６に記載の方法。
［Ｃ４５］
前記近接度の決定は、
前記第２のアクセスポイントから信号を受信することと、
前記受信信号の信号パラメータを測定することと、
前記測定された信号パラメータに基づいて前記近接度を決定することと、
を備える、Ｃ３６に記載の方法。
［Ｃ４６］
前記近接度の決定は、前記第２のアクセスポイントから前記第１のアクセスポイントへの経路損失を推定することを備える、Ｃ３６に記載の方法。
［Ｃ４７］
前記経路損失の推定は、
前記第１のアクセスポイントにおいて前記第２のアクセスポイントからの信号の受信信号コード電力を決定することと、
前記信号を送信するために、前記第２のアクセスポイントによって使用される送信電力を決定することと、
前記決定された受信信号コード電力および前記決定された送信電力に基づいて経路損失値を計算することと
を備える、Ｃ４６に記載の方法。
［Ｃ４８］
前記受信信号コード電力は、共通パイロットチャネル受信信号コード電力を備え、
前記送信電力は、共通パイロットチャネル送信電力を備える、
Ｃ４７に記載の方法。
［Ｃ４９］
前記近接度の決定は、前記近接度のインジケーションを受信することを備える、Ｃ３６に記載の方法。
［Ｃ５０］
前記第１のアクセスポイントはフェムトセルを備え、
前記第２のアクセスポイントはマクロ基地局を備える
Ｃ３６に記載の方法。
［Ｃ５１］
通信のための装置であって、
前記装置とアクセスポイントとの近接度を決定するように動作可能であって、さらに、前記決定された近接度に基づいてハンドオーバパラメータを決定するように動作可能なコントローラと、
前記装置から前記決定されたハンドオーバパラメータを送信するように動作可能な送信機と
を備える装置。
［Ｃ５２］
前記ハンドオーバパラメータの決定は、
前記第１のアクセスポイントが前記第２のアクセスポイントの近くに存在することを前記決定された近接度が示す場合、前記ハンドオーバパラメータを第１の値に設定すること、または
前記第１のアクセスポイントが前記第２のアクセスポイントのセルエッジの近くに存在することを前記決定された近接度が示す場合、前記ハンドオーバパラメータを第２の値に設定すること
を備える、Ｃ５１に記載の装置。
［Ｃ５３］
前記第１の値は、前記第１のアクセスポイントによってサービス提供されるアクセス端末が前記第２のアクセスポイントに早期ハンドオーバされる可能性を減少させるように定義され、
前記第２の値は、前記第１のアクセスポイントによってサービス提供されるアクセス端末が、前記アクセス端末が前記第２のアクセスポイントにハンドオーバされるのではなく前記第１のアクセスポイントに留まることによる機能停止を経験する可能性を減少させるように定義される
Ｃ５２に記載の装置。
［Ｃ５４］
前記ハンドオーバパラメータは、ヒステリシスパラメータを備える、Ｃ５１に記載の装置。
［Ｃ５５］
前記ハンドオーバパラメータは、セル個別オフセットパラメータ、または、タイム・ツー・トリガパラメータを備える、Ｃ５１に記載の装置。
［Ｃ５６］
前記近接度の決定は、前記第２のアクセスポイントから前記第１のアクセスポイントへの経路損失を推定することを備える、Ｃ５１に記載の装置。
［Ｃ５７］
通信のための装置であって、
前記装置とアクセスポイントとの近接度を決定するための手段と、
前記決定された近接度に基づいてハンドオーバパラメータを決定するための手段と、
前記装置から前記決定されたハンドオーバパラメータを送信するための手段と
を備える装置。
［Ｃ５８］
前記ハンドオーバパラメータの決定は、
前記第１のアクセスポイントが前記第２のアクセスポイントの近くに存在することを前記決定された近接度が示す場合、前記ハンドオーバパラメータを第１の値に設定すること、または
前記第１のアクセスポイントが前記第２のアクセスポイントのセルエッジの近くに存在することを前記決定された近接度が示す場合、前記ハンドオーバパラメータを第２の値に設定すること
を備える、Ｃ５７に記載の装置。
［Ｃ５９］
前記第１の値は、前記第１のアクセスポイントによってサービス提供されるアクセス端末が前記第２のアクセスポイントへの早期ハンドオーバされる可能性を減少させるように定義され、
前記第２の値は、前記第１のアクセスポイントによってサービス提供されるアクセス端末が、前記アクセス端末が前記第２のアクセスポイントにハンドオーバされるのではなく前記第１のアクセスポイントに留まることによる機能停止を経験する可能性を減少させるように定義される
Ｃ５８に記載の装置。
［Ｃ６０］
前記ハンドオーバパラメータは、ヒステリシスパラメータを備える、Ｃ５７に記載の装置。
［Ｃ６１］
前記ハンドオーバパラメータは、セル個別オフセットパラメータ、または、タイム・ツー・トリガパラメータを備える、Ｃ５７に記載の装置。
［Ｃ６２］
前記近接度の決定は、前記第２のアクセスポイントから前記第１のアクセスポイントへの経路損失を推定することを備える、Ｃ５７に記載の装置。
［Ｃ６３］
コンピュータ可読媒体を備えるコンピュータプログラムプロダクトであって、前記コンピュータ可読媒体は、コンピュータに対して、
第１のアクセスポイントと第２のアクセスポイントとの近接度を決定させ、
前記決定された近接度に基づいてハンドオーバパラメータを決定させ、
前記第１のアクセスポイントから前記決定されたハンドオーバパラメータを送信させる
ためのコードを備える、コンピュータプログラムプロダクト。
［Ｃ６４］
前記ハンドオーバパラメータの決定は、
前記第１のアクセスポイントが前記第２のアクセスポイントの近くに存在することを前記決定された近接度が示す場合、前記ハンドオーバパラメータを第１の値に設定すること、または
前記第１のアクセスポイントが前記第２のアクセスポイントのセルエッジの近くに存在することを前記決定された近接度が示す場合、前記ハンドオーバパラメータを第２の値に設定すること
を備える、Ｃ６３に記載のコンピュータプログラムプロダクト。
［Ｃ６５］
前記第１の値は、前記第１のアクセスポイントによってサービス提供されるアクセス端末が前記第２のアクセスポイントに早期ハンドオーバされる可能性を減少させるように定義され、
前記第２の値は、前記第１のアクセスポイントによってサービス提供されるアクセス端末が、前記アクセス端末が前記第２のアクセスポイントにハンドオーバされるのではなく前記第１のアクセスポイントに留まることによる機能停止を経験する可能性を減少させるように定義される
Ｃ６４に記載のコンピュータプログラムプロダクト。
［Ｃ６６］
前記ハンドオーバパラメータは、ヒステリシスパラメータを備える、Ｃ６３に記載のコンピュータプログラムプロダクト。
［Ｃ６７］
前記ハンドオーバパラメータは、セル個別オフセットパラメータ、または、タイム・ツー・トリガパラメータを備える、Ｃ６３に記載のコンピュータプログラムプロダクト。
［Ｃ６８］
前記近接度の決定は、前記第２のアクセスポイントから前記第１のアクセスポイントへの経路損失を推定することを備える、Ｃ６３に記載のコンピュータプログラムプロダクト。
【図１】
0005575909.tif 000003
【図２】
0005575909.tif 000004
【図３】
0005575909.tif 000005
【図４】
0005575909.tif 000006
【図５】
0005575909.tif 000007
【図６】
0005575909.tif 000008
【図７】
0005575909.tif 000009
【図８】
0005575909.tif 000010
【図９】
0005575909.tif 000011
【図１０】
0005575909.tif 000012
【図１１】
0005575909.tif 000013
【図１２】
0005575909.tif 000014
【図１３】
0005575909.tif 000015
【図１４】
0005575909.tif 000016
【図１５】
0005575909.tif 000017
【図１６】
0005575909.tif 000018